(57)【要約】【課題】歯磨き中でも、ユーザの歯磨き行動に関する情報を知ることが容易な歯ブラシモジュール、歯ブラシ用アタッチメント、歯磨き補助システム、歯磨き評価システム、歯磨き補助装置、及び歯磨き補助プログラムを提供する。【解決手段】歯ブラシ用アタッチメント２は、所定の物理量を検出するセンサ部２１と、センサ部２１により検出された物理量を示す無線信号を送信する無線送信部２２と、センサ部２１及び無線送信部２２を収容する筐体２０１と、歯ブラシ４に対して筐体２０１を着脱可能に取り付ける連結機構２０２とを備えた。無線端末装置３は、無線信号を受信して物理量を取得する無線受信部３１と、物理量に基づいて歯ブラシ４によるユーザの歯磨きを補助するように画像又は音を出力する音楽出力部３５４、キャラクタ表示制御部３６３、報知部３７３を備えた。【選択図】図１０
2019069252.tif 000002
【特許請求の範囲】
【請求項１】
歯ブラシに関する所定の物理量を検出するセンサ部と、
前記センサ部により検出された物理量を示す無線信号を送信する無線送信部とを備える歯ブラシモジュール。
【請求項２】
請求項１に記載の歯ブラシモジュールと、
前記センサ部及び前記無線送信部を収容する筐体部と、
前記歯ブラシに対して前記筐体部を着脱可能に取り付ける連結機構とを備える歯ブラシ用アタッチメント。
【請求項３】
前記歯ブラシは、略棒状のハンドル部の一端部に毛束が植設されたヘッド部が設けられたものであり、
前記連結機構は、前記ハンドル部の他端部側と前記筐体部とを連結する請求項２記載の歯ブラシ用アタッチメント。
【請求項４】
前記センサ部は、前記物理量として加速度を検出する加速度センサを備える請求項２又は３記載の歯ブラシ用アタッチメント。
【請求項５】
前記筐体部の外壁面には、押圧力を前記歯ブラシモジュールの動作を開始させるための開始指示として受け付ける指示受付部が設けられ、
前記連結機構は、前記ハンドル部の他端部を前記指示受付部に向けて前記歯ブラシを弾性的に保持する請求項３記載の歯ブラシ用アタッチメント。
【請求項６】
前記連結機構は、エラストマによって構成され、
前記エラストマが、
前記筐体部を受け入れる凹部と、
前記ハンドル部の他端部側を受け入れ可能であって、前記受け入れられたハンドル部を前記エラストマの弾性力によって弾性的に保持する保持部とを構成している請求項５記載の歯ブラシ用アタッチメント。
【請求項７】
前記筐体部は、略平坦な底面と、前記底面とは反対側の上面と、前記底面と前記上面とをつなぐ側面とを有し、
前記凹部は、前記上面と前記側面とを覆うように前記筐体部を受け入れて前記エラストマの弾性力によって前記筐体部を保持するようにされており、
前記指示受付部は、前記上面に配設され、
前記保持部は、前記凹部によって受け入れられた前記筐体部の前記上面側で、前記底面に対して前記ハンドル部の軸方向が略垂直になるように前記ハンドル部を保持する請求項６記載の歯ブラシ用アタッチメント。
【請求項８】
前記保持部は、
前記ハンドル部の他端部側を受け入れるように、深さ方向が前記ハンドル部の軸方向に沿う挿入穴を備え、
前記挿入穴の底には、その挿入穴を閉塞する底部が形成されている請求項６又は７記載の歯ブラシ用アタッチメント。
【請求項９】
請求項２〜８のいずれか１項に記載の歯ブラシ用アタッチメントと、
前記無線信号を受信する無線端末装置とを備え、
前記無線端末装置は、
前記無線信号を受信して前記物理量を取得する無線受信部と、
前記物理量に基づいて前記歯ブラシによるユーザの歯磨きを補助するように画像又は音を出力する出力部とを備える歯磨き補助システム。
【請求項１０】
前記出力部は、
前記物理量に基づいて音を出力する音出力部を含む請求項９記載の歯磨き補助システム。
【請求項１１】
前記無線端末装置は、
前記物理量に基づいて前記歯磨きを評価する磨き方評価部をさらに備え、
前記音出力部は、
音楽を表す音楽情報を記憶する音楽情報記憶部と、
前記音楽情報記憶部に記憶された音楽情報に基づき音楽を出力する音楽出力部とを備え、
前記音楽出力部は、前記磨き方評価部により評価された評価結果に基づいて前記音楽の出力態様を変化させる請求項１０記載の歯磨き補助システム。
【請求項１２】
前記無線端末装置は、
前記物理量に基づいてユーザの歯磨きによる清掃効果を累積的に評価する清掃効果評価部と、
所定の表示画面に画像を表示する表示部とをさらに備え、
前記出力部は、前記清掃効果評価部による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御部を含む請求項９〜１１のいずれか１項に記載の歯磨き補助システム。
【請求項１３】
前記無線端末装置は、
前記物理量に基づいて前記歯ブラシによるユーザの歯のブラッシング位置を判定するブラッシング位置判定部をさらに備え、
前記清掃効果評価部は、前記ブラッシング位置判定部により判定された前記ブラッシング位置毎に、前記清掃効果を累積的に評価し、
前記キャラクタ表示制御部は、前記表示画面を複数の領域に分割し、前記ブラッシング位置と前記複数の領域とを対応させ、前記清掃効果評価部による清掃評価結果が前記基準清掃レベルに満たないブラッシング位置に対応する領域に所定のキャラクタを表示し、前記清掃評価結果が前記基準清掃レベルを超えた場合にそのブラッシング位置に対応する領域に表示されたキャラクタを消去する請求項１２記載の歯磨き補助システム。
【請求項１４】
前記無線端末装置は、
前記物理量に基づいて、前記ユーザにより歯磨きが開始されたか否かを判定する歯磨開始判定部と、
前記歯磨開始判定部によって前記歯磨きが開始されたと判定されたとき、好適な歯磨き時間として予め設定された判定時間が経過するまでの経過時間の計時を開始する計時部とをさらに備え、
前記出力部は、前記歯磨開始判定部によって前記歯磨きが開始されたと判定されたときから、前記経過時間が前記判定時間に達するまでの間に、所定の情報を報知する報知部を含む請求項９〜１３のいずれか１項に記載に記載の歯磨き補助システム。
【請求項１５】
請求項２〜８のいずれか１項に記載の歯ブラシ用アタッチメントと、
前記無線信号を受信する無線端末装置とを備え、
前記無線端末装置は、
前記無線信号を受信して前記物理量を取得する無線受信部と、
前記物理量に基づいて前記歯磨きを評価する評価部とを備える歯磨き評価システム。
【請求項１６】
請求項１に記載の歯ブラシモジュールと、
前記無線信号を受信する無線端末装置とを含み、
前記無線端末装置は、
前記無線信号を受信して前記物理量を取得する無線受信部と、
前記物理量に基づいて、ユーザの興趣性を高める態様で画像又は音を出力する出力部とを備える歯磨き補助システム。
【請求項１７】
前記出力部は、
前記物理量に基づいて音を出力する音出力部を含む請求項１６記載の歯磨き補助システム。
【請求項１８】
前記無線端末装置は、
前記物理量に基づいて前記歯磨きを評価する磨き方評価部をさらに備え、
前記音出力部は、
音楽を表す音楽情報を記憶する音楽情報記憶部と、
前記音楽情報記憶部に記憶された音楽情報に基づき音楽を出力する音楽出力部とを備え、
前記音楽出力部は、前記磨き方評価部により評価された評価結果に基づいて前記音楽の出力態様を変化させる請求項１７記載の歯磨き補助システム。
【請求項１９】
前記無線端末装置は、
前記物理量に基づいてユーザの歯磨きによる清掃効果を累積的に評価する清掃効果評価部と、
所定の表示画面に画像を表示する表示部とをさらに備え、
前記出力部は、前記清掃効果評価部による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御部を含む請求項１６〜１８のいずれか１項に記載の歯磨き補助システム。
【請求項２０】
前記無線端末装置は、
前記物理量に基づいて前記歯ブラシによるユーザの歯のブラッシング位置を判定するブラッシング位置判定部をさらに備え、
前記清掃効果評価部は、前記ブラッシング位置判定部により判定された前記ブラッシング位置毎に、前記清掃効果を累積的に評価し、
前記キャラクタ表示制御部は、前記表示画面を複数の領域に分割し、前記ブラッシング位置と前記複数の領域とを対応させ、前記清掃効果評価部による清掃評価結果が前記基準清掃レベルに満たないブラッシング位置に対応する領域に所定のキャラクタを表示し、前記清掃評価結果が前記基準清掃レベルを超えた場合にそのブラッシング位置に対応する領域に表示されたキャラクタを消去する請求項１９記載の歯磨き補助システム。
【請求項２１】
前記無線端末装置は、
前記物理量に基づいて、前記ユーザにより歯磨きが開始されたか否かを判定する歯磨開始判定部と、
前記歯磨開始判定部によって前記歯磨きが開始されたと判定されたとき、好適な歯磨き時間として予め設定された判定時間が経過するまでの経過時間の計時を開始する計時部とをさらに備え、
前記出力部は、前記歯磨開始判定部によって前記歯磨きが開始されたと判定されたときから、前記経過時間が前記判定時間に達するまでの間に、所定の情報を報知する報知部を含む請求項１６〜２０のいずれか１項に記載の歯磨き補助システム。
【請求項２２】
前記無線端末装置は、
前記物理量に基づいて前記歯磨きを評価する磨き方評価部をさらに備え、
前記物理量は、前記歯ブラシに加えられる加速度を含み、
前記磨き方評価部は、前記歯ブラシの往復運動における一往復での片道の移動距離に基づいて前記歯磨きを評価する請求項１６記載の歯磨き補助システム。
【請求項２３】
前記無線端末装置は、
前記物理量に基づいて前記歯磨きを評価する磨き方評価部をさらに備え、
前記磨き方評価部は、前記歯ブラシの往復運動の周期と、前記歯ブラシの往復運動における移動速度とに基づいて前記歯磨きを評価する請求項１６記載の歯磨き補助システム。
【請求項２４】
歯ブラシに関する所定の物理量を示す無線信号を受信して前記物理量を取得する無線受信部と、
前記物理量に基づいて音を出力する音出力部とを備える歯磨き補助装置。
【請求項２５】
前記物理量に基づいて前記歯磨きを評価する磨き方評価部をさらに備え、
前記音出力部は、
音楽を表す音楽情報を記憶する音楽情報記憶部と、
前記音楽情報記憶部に記憶された音楽情報に基づき音楽を出力する音楽出力部とを備え、
前記音楽出力部は、前記磨き方評価部により評価された評価結果に基づいて前記音楽の出力態様を変化させる請求項２４記載の歯磨き補助装置。
【請求項２６】
歯ブラシに関する所定の物理量を示す無線信号を受信して前記物理量を取得する無線受信部と、
前記物理量に基づいてユーザの歯磨きによる清掃効果を累積的に評価する清掃効果評価部と、
所定の表示画面に画像を表示する表示部と、
前記清掃効果評価部による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御部とを備える歯磨き補助装置。
【請求項２７】
歯ブラシに関する所定の物理量を示す無線信号を受信して前記物理量を取得する無線受信部と、
前記物理量に基づいて、前記ユーザにより歯磨きが開始されたか否かを判定する歯磨開始判定部と、
前記歯磨開始判定部によって前記歯磨きが開始されたと判定されたとき、好適な歯磨き時間として予め設定された判定時間が経過するまでの経過時間の計時を開始する計時部と、
前記歯磨開始判定部によって前記歯磨きが開始されたと判定されたときから、前記経過時間が前記判定時間に達するまでの間に、所定の情報を報知する報知部とを備える歯磨き補助装置。
【請求項２８】
歯ブラシに関する所定の物理量を示す無線信号を受信して前記物理量を取得する無線受信手段、
前記物理量に基づいて音を出力する音出力手段としてコンピュータを機能させる歯磨き補助プログラム。
【請求項２９】
前記物理量に基づいて前記歯磨きを評価する磨き方評価手段としてさらにコンピュータを機能させ、
前記音出力手段は、
音楽を表す音楽情報を記憶する音楽情報記憶手段と、
前記音楽情報記憶手段に記憶された音楽情報に基づき音楽を出力する音楽出力手段とを含み、
前記音楽出力手段は、前記磨き方評価手段により評価された評価結果に基づいて前記音楽の出力態様を変化させる請求項２８記載の歯磨き補助プログラム。
【請求項３０】
歯ブラシに関する所定の物理量を示す無線信号を受信して前記物理量を取得する無線受信手段、
前記物理量に基づいてユーザの歯磨きによる清掃効果を累積的に評価する清掃効果評価手段、
所定の表示画面に画像を表示する表示手段、
前記清掃効果評価手段による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御手段としてコンピュータを機能させる歯磨き補助プログラム。
【請求項３１】
歯ブラシに関する所定の物理量を示す無線信号を受信して前記物理量を取得する無線受信手段、
前記物理量に基づいて、前記ユーザにより歯磨きが開始されたか否かを判定する歯磨開始判定手段、
前記歯磨開始判定手段によって前記歯磨きが開始されたと判定されたとき、好適な歯磨き時間として予め設定された判定時間が経過するまでの経過時間の計時を開始する計時手段、
前記歯磨開始判定手段によって前記歯磨きが開始されたと判定されたときから、前記経過時間が前記判定時間に達するまでの間に、所定の情報を報知する報知手段としてコンピュータを機能させる歯磨き補助プログラム。
【発明の詳細な説明】
【技術分野】
【０００１】
本発明は、ユーザが歯磨きを行う際に用いられる歯ブラシモジュール、歯ブラシ用アタッチメント、歯磨き補助システム、歯磨き評価システム、歯磨き補助装置、及び歯磨き補助プログラムに関する。
【背景技術】
【０００２】
従来、ブラッシング位置、ブラッシング時間、あるいはブラッシング回数を検出する手段を設け、その検出結果から、ユーザによる歯磨きが適正であるか否かを判定することができる電動歯ブラシが知られている（例えば、特許文献１参照。）。この電動歯ブラシによれば、ユーザは、ブラッシングの判定結果を見てより適切な歯磨きを行うように、学習することができる。
【先行技術文献】
【特許文献】
【０００３】
【特許文献１】特許第４５４３６６３号公報
【発明の概要】
【発明が解決しようとする課題】
【０００４】
ところで、特許文献１に記載の電動歯ブラシによれば、電動歯ブラシの筐体に設けられた液晶表示器やＬＥＤ（Light Emitting Diode）等の出力手段によって、ブラッシングに関する情報が報知される。しかしながら、歯磨き中には、電動歯ブラシの筐体は、視界に入りにくい位置に位置することになるため、ユーザがその情報を見難いという、不都合があった。
【０００５】
本発明の目的は、歯磨き中でも、ユーザの歯磨き行動に関する情報を知ることが容易な歯ブラシモジュール、歯ブラシ用アタッチメント、歯磨き補助システム、歯磨き評価システム、歯磨き補助装置、及び歯磨き補助プログラムを提供することである。
【課題を解決するための手段】
【０００６】
本発明に係る歯ブラシモジュールは、歯ブラシに関する所定の物理量を検出するセンサ部と、前記センサ部により検出された物理量を示す無線信号を送信する無線送信部とを備える。
【０００７】
この構成によれば、センサ部により検出された物理量を示す無線信号を外部に送信することができるので、歯磨き中でも、手元から離れた位置で無線信号を受信して、その無線信号に基づきユーザの歯磨き行動に関する情報を報知することができるので、歯磨き中でも、ユーザの歯磨き行動に関する情報を知ることが容易となる。
【０００８】
また、本発明に係る歯ブラシ用アタッチメントは、上述の歯ブラシモジュールと、所定の物理量を検出するセンサ部と、前記センサ部により検出された物理量を示す無線信号を送信する無線送信部と、前記センサ部及び前記無線送信部を収容する筐体部と、歯ブラシに対して前記筐体部を着脱可能に取り付ける連結機構とを備える。
【０００９】
この構成によれば、手動の歯ブラシに対して、連結機構により歯ブラシ用アタッチメントを取り付けることができる。歯ブラシに歯ブラシ用アタッチメントが取り付けられると、歯ブラシと歯ブラシ用アタッチメントの筐体部とが一体に動くので、ユーザが歯ブラシを用いて歯磨きを行うと、その歯磨き行動の動きが筐体部に収納されたセンサ部に伝わる。従って、センサ部において、ユーザの歯磨き行動に関する情報を取得することができる。このようにして得られたユーザの歯磨き行動に関する情報を、無線送信部によって外部に送信することができるので、ユーザが手動の歯ブラシを用いた場合であっても、ユーザの歯磨き行動に関する情報を外部で取得することができる。
【００１０】
また、前記歯ブラシは、略棒状のハンドル部の一端部に毛束が植設されたヘッド部が設けられたものであり、前記連結機構は、前記ハンドル部の他端部側と前記筐体部とを連結することが好ましい。
【００１１】
この構成によれば、歯ブラシの、ヘッド部とは反対側の他端部側に歯ブラシ用アタッチメントが取り付けられるので、歯ブラシ用アタッチメントが取り付けられた歯ブラシを用いて歯磨きをする際に、歯ブラシ用アタッチメントが邪魔になるおそれが低減される。
【００１２】
また、前記センサ部は、前記物理量として加速度を検出する加速度センサを備えることが好ましい。
【００１３】
加速度センサによれば、ユーザの歯磨き時のブラッシングに伴う歯ブラシの動きを示す情報を、加速度により取得することができるので、加速度センサをセンサ部として好適に用いることができる。
【００１４】
また、前記筐体部の外壁面には、押圧力を前記歯ブラシモジュールの動作を開始させるための開始指示として受け付ける指示受付部が設けられ、前記連結機構は、前記ハンドル部の他端部を前記指示受付部に向けて前記歯ブラシを弾性的に保持することが好ましい。
【００１５】
この構成によれば、指示受付部に向けて歯ブラシが弾性的に保持されているので、ユーザは、歯ブラシのハンドルを指示受付部に向けて押し込むことによって指示受付部に開始指示として押圧力を加えることができる。これにより、簡単な操作で歯ブラシモジュールの動作を開始させることができる。
【００１６】
また、前記連結機構は、エラストマによって構成され、前記エラストマが、前記筐体部を受け入れる凹部と、前記ハンドル部の他端部側を受け入れ可能であって、前記受け入れられたハンドル部を前記エラストマの弾性力によって弾性的に保持する保持部とを構成していることが好ましい。
【００１７】
この構成によれば、エラストマは弾性部材であるので、ハンドル部の他端部を指示受付部に向けて歯ブラシを弾性的に保持することが容易である。
【００１８】
また、前記筐体部は、略平坦な底面と、前記底面とは反対側の上面と、前記底面と前記上面とをつなぐ側面とを有し、前記凹部は、前記上面と前記側面とを覆うように前記筐体部を受け入れて前記エラストマの弾性力によって前記筐体部を保持するようにされており、前記指示受付部は、前記上面に配設され、前記保持部は、前記凹部によって受け入れられた前記筐体部の前記上面側で、前記底面に対して前記ハンドル部の軸方向が略垂直になるように前記ハンドル部を保持することが好ましい。
【００１９】
この構成によれば、底面に対してハンドル部の軸方向が略垂直になるようにハンドル部が保持されているので、底面を下にして平坦な場所に置くことで、歯ブラシを自立させることができる。この状態で、ユーザは、歯ブラシを下方向に押し込むことによって、指示受付部に開始指示として押圧力を加えることができる。これにより、簡単な操作で歯ブラシモジュールの動作を開始させることができる。
【００２０】
また、前記保持部は、前記ハンドル部の他端部側を受け入れるように、深さ方向が前記ハンドル部の軸方向に沿う挿入穴を備え、前記挿入穴の底には、その挿入穴を閉塞する底部が形成されていることが好ましい。
【００２１】
この構成によれば、歯ブラシのハンドル部が差し込まれる挿入穴の底が閉塞されているので、歯ブラシを伝わった水が筐体部にかかるおそれが低減される。
【００２２】
また、本発明に係る歯磨き補助システムは、上述の歯ブラシ用アタッチメントと、前記無線信号を受信する無線端末装置とを備え、前記無線端末装置は、前記無線信号を受信して前記物理量を取得する無線受信部と、前記物理量に基づいて前記歯ブラシによるユーザの歯磨きを補助するように画像又は音を出力する出力部とを備える。
【００２３】
この構成によれば、無線端末装置は、歯ブラシ用アタッチメントから送信された無線信号からユーザの歯磨き行動に関する情報を取得することができる。その結果、無線端末装置は、その物理量に基づいて、歯ブラシによるユーザの歯磨きを補助するように画像又は音を出力することが可能となる。
【００２４】
また、前記出力部は、前記物理量に基づいて音を出力する音出力部を含むことが好ましい。
【００２５】
この構成によれば、ユーザは、歯ブラシ用アタッチメントが取り付けられた歯ブラシの動かし方に基づく音を、音出力部から出力させることができる。そして、ユーザがその音を聞きながら歯磨きを行うことで、その音により歯磨きが補助される。また、ユーザがその音を聞きながら歯磨きを行うことで、歯磨きの興趣性が高められる。
【００２６】
また、前記無線端末装置は、前記物理量に基づいて前記歯磨きを評価する磨き方評価部をさらに備え、前記音出力部は、音楽を表す音楽情報を記憶する音楽情報記憶部と、前記音楽情報記憶部に記憶された音楽情報に基づき音楽を出力する音楽出力部とを備え、前記音楽出力部は、前記磨き方評価部により評価された評価結果に基づいて前記音楽の出力態様を変化させることが好ましい。
【００２７】
この構成によれば、磨き方評価部によって、物理量に基づきユーザの歯磨きが評価される。また、音楽出力部により音楽が出力され、その音楽の出力態様が、歯磨きの評価結果に基づき変化される。これにより、ユーザは、音楽を聴きながら自分の歯磨きの善し悪しを知ることができるので、楽しみながら、歯磨きの質を向上させることが容易となる。
【００２８】
また、前記無線端末装置は、前記物理量に基づいてユーザの歯磨きによる清掃効果を累積的に評価する清掃効果評価部と、所定の表示画面に画像を表示する表示部とをさらに備え、前記出力部は、前記清掃効果評価部による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御部を含むことが好ましい。
【００２９】
この構成によれば、清掃効果評価部による清掃評価結果が予め定められた基準清掃レベルに満たない場合、すなわち歯が適切に磨けていないと考えられる場合、表示画面に所定のキャラクタが表示される。そして、清掃評価結果が基準清掃レベルを超えた場合、すなわち歯が適切に磨けたと考えられる場合、そのキャラクタが消去される。これによれば、ユーザが適切に歯磨きを行うことでキャラクタが消去されるので、あたかも歯磨きによりキャラクタを倒すゲームを行っているような感覚で歯磨きを行うことができる。そのため、ゲームにより歯磨きが補助され、歯磨きの興趣性が向上し、ユーザは楽しみながら、歯磨きの質を向上させることができる。その結果、歯磨きを習慣づけることが容易となる。
【００３０】
また、前記無線端末装置は、前記物理量に基づいて前記歯ブラシによるユーザの歯のブラッシング位置を判定するブラッシング位置判定部をさらに備え、前記清掃効果評価部は、前記ブラッシング位置判定部により判定された前記ブラッシング位置毎に、前記清掃効果を累積的に評価し、前記キャラクタ表示制御部は、前記表示画面を複数の領域に分割し、前記ブラッシング位置と前記複数の領域とを対応させ、前記清掃効果評価部による清掃評価結果が前記基準清掃レベルに満たないブラッシング位置に対応する領域に所定のキャラクタを表示し、前記清掃評価結果が前記基準清掃レベルを超えた場合にそのブラッシング位置に対応する領域に表示されたキャラクタを消去することが好ましい。
【００３１】
この構成によれば、ブラッシング位置毎に、その位置の清掃度合いに応じてそのブラッシング位置に対応する表示画面の位置にキャラクタが表示される。そのため、ユーザは、ゲーム感覚でキャラクタの表示位置に応じたブラッシング位置でブラッシングすることで、キャラクタを消去することができる。その結果、ユーザは、楽しみながら適切な歯磨きを行うことが可能となる。その結果、歯磨きを習慣づけることが容易となる。
【００３２】
また、前記無線端末装置は、前記物理量に基づいて、前記ユーザにより歯磨きが開始されたか否かを判定する歯磨開始判定部と、前記歯磨開始判定部によって前記歯磨きが開始されたと判定されたとき、好適な歯磨き時間として予め設定された判定時間が経過するまでの経過時間の計時を開始する計時部とをさらに備え、前記出力部は、前記歯磨開始判定部によって前記歯磨きが開始されたと判定されたときから、前記経過時間が前記判定時間に達するまでの間に、所定の情報を報知する報知部を含むことが好ましい。
【００３３】
この構成によれば、歯磨きが開始されてから、好適な歯磨き時間として予め設定された判定時間が経過するまでの間、所定の情報が報知される。その結果、ユーザは歯磨き中に情報を入手することができ、時間の有効活用ができるので、歯磨きを習慣づけることが容易となる。また、情報が報知されている時間の間、歯磨きを続けることにより歯磨き時間が適切となる。これにより、歯磨きが補助され、歯磨きの質が向上する。
【００３４】
また、本発明に係る歯磨き評価システムは、上述の歯ブラシ用アタッチメントと、前記無線信号を受信する無線端末装置とを備え、前記無線端末装置は、前記無線信号を受信して前記物理量を取得する無線受信部と、前記物理量に基づいて前記歯磨きを評価する評価部とを備える。
【００３５】
この構成によれば、無線端末装置は、歯ブラシ用アタッチメントから送信された無線信号からユーザの歯磨き行動に関する情報を取得することができる。その結果、その物理量に基づいて、歯ブラシによるユーザの歯磨きを評価することが可能となる。
【００３６】
また、本発明に係る歯磨き補助システムは、上述の歯ブラシモジュールと、前記無線信号を受信する無線端末装置とを含み、前記無線端末装置は、前記無線信号を受信して前記物理量を取得する無線受信部と、前記物理量に基づいて、ユーザの興趣性を高める態様で画像又は音を出力する出力部とを備える。
【００３７】
この構成によれば、無線端末装置は、歯ブラシ用アタッチメントから送信された無線信号からユーザの歯磨き行動に関する情報を取得することができる。そして、出力部によって、その物理量に基づいて、すなわち歯ブラシによるユーザの歯磨き動作に対応して、ユーザの興趣性を高める態様で画像又は音を出力される。その結果、ユーザによる歯磨きの興趣性を高めることができる。
【００３８】
また、前記出力部は、前記物理量に基づいて音を出力する音出力部を含むことが好ましい。
【００３９】
この構成によれば、ユーザは、歯ブラシ用アタッチメントが取り付けられた歯ブラシの動かし方に基づく音を、音出力部から出力させることができる。そして、ユーザがその音を聞きながら歯磨きを行うことで、歯磨きの興趣性が高められる。また、ユーザがその音を聞きながら歯磨きを行うことで、その音により歯磨きが補助される。
【００４０】
また、前記無線端末装置は、前記物理量に基づいて前記歯磨きを評価する磨き方評価部をさらに備え、前記音出力部は、音楽を表す音楽情報を記憶する音楽情報記憶部と、前記音楽情報記憶部に記憶された音楽情報に基づき音楽を出力する音楽出力部とを備え、前記音楽出力部は、前記磨き方評価部により評価された評価結果に基づいて前記音楽の出力態様を変化させることが好ましい。
【００４１】
この構成によれば、磨き方評価部によって、物理量に基づきユーザの歯磨きが評価される。また、音楽出力部により音楽が出力され、その音楽の出力態様が、歯磨きの評価結果に基づき変化される。これにより、ユーザは、音楽を聴きながら自分の歯磨きの善し悪しを知ることができるので、楽しみながら、歯磨きの質を向上させることが容易となる。
【００４２】
また、前記無線端末装置は、前記物理量に基づいてユーザの歯磨きによる清掃効果を累積的に評価する清掃効果評価部と、所定の表示画面に画像を表示する表示部とをさらに備え、前記出力部は、前記清掃効果評価部による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御部を含むことが好ましい。
【００４３】
この構成によれば、清掃効果評価部による清掃評価結果が予め定められた基準清掃レベルに満たない場合、すなわち歯が適切に磨けていないと考えられる場合、表示画面に所定のキャラクタが表示される。そして、清掃評価結果が基準清掃レベルを超えた場合、すなわち歯が適切に磨けたと考えられる場合、そのキャラクタが消去される。これによれば、ユーザが適切に歯磨きを行うことでキャラクタが消去されるので、あたかも歯磨きによりキャラクタを倒すゲームを行っているような感覚で歯磨きを行うことができる。そのため、ゲームにより歯磨きが補助され、歯磨きの興趣性が向上し、ユーザは楽しみながら、歯磨きの質を向上させることができる。その結果、歯磨きを習慣づけることが容易となる。
【００４４】
また、前記無線端末装置は、前記物理量に基づいて前記歯ブラシによるユーザの歯のブラッシング位置を判定するブラッシング位置判定部をさらに備え、前記清掃効果評価部は、前記ブラッシング位置判定部により判定された前記ブラッシング位置毎に、前記清掃効果を累積的に評価し、前記キャラクタ表示制御部は、前記表示画面を複数の領域に分割し、前記ブラッシング位置と前記複数の領域とを対応させ、前記清掃効果評価部による清掃評価結果が前記基準清掃レベルに満たないブラッシング位置に対応する領域に所定のキャラクタを表示し、前記清掃評価結果が前記基準清掃レベルを超えた場合にそのブラッシング位置に対応する領域に表示されたキャラクタを消去することが好ましい。
【００４５】
この構成によれば、ブラッシング位置毎に、その位置の清掃度合いに応じてそのブラッシング位置に対応する表示画面の位置にキャラクタが表示される。そのため、ユーザは、ゲーム感覚でキャラクタの表示位置に応じたブラッシング位置でブラッシングすることで、キャラクタを消去することができる。その結果、ユーザは、楽しみながら適切な歯磨きを行うことが可能となる。その結果、歯磨きを習慣づけることが容易となる。
【００４６】
また、前記無線端末装置は、前記物理量に基づいて、前記ユーザにより歯磨きが開始されたか否かを判定する歯磨開始判定部と、前記歯磨開始判定部によって前記歯磨きが開始されたと判定されたとき、好適な歯磨き時間として予め設定された判定時間が経過するまでの経過時間の計時を開始する計時部とをさらに備え、前記出力部は、前記歯磨開始判定部によって前記歯磨きが開始されたと判定されたときから、前記経過時間が前記判定時間に達するまでの間に、所定の情報を報知する報知部を含むことが好ましい。
【００４７】
この構成によれば、歯磨きが開始されてから、好適な歯磨き時間として予め設定された判定時間が経過するまでの間、所定の情報が報知される。その結果、ユーザは歯磨き中に情報を入手することができ、時間の有効活用ができるので、歯磨きを習慣づけることが容易となる。また、情報が報知されている時間の間、歯磨きを続けることにより歯磨き時間が適切となる。これにより、歯磨きが補助され、歯磨きの質が向上する。
【００４８】
また、前記無線端末装置は、前記物理量に基づいて前記歯磨きを評価する磨き方評価部をさらに備え、前記物理量は、前記歯ブラシに加えられる加速度を含み、前記磨き方評価部は、前記歯ブラシの往復運動における一往復での片道の移動距離に基づいて前記歯磨きを評価することが好ましい。
【００４９】
バス法では、歯一本分の幅以下の小刻みな歯ブラシの往復運動をさせることが好ましいとされている。そこで、磨き方評価部は、歯ブラシの往復運動における一往復の片道、すなわち往復の幅での移動距離に基づいて歯磨きを評価することによって、ユーザの歯磨き行動を適切に評価することが可能となる。
【００５０】
また、前記無線端末装置は、前記物理量に基づいて前記歯磨きを評価する磨き方評価部をさらに備え、前記磨き方評価部は、前記歯ブラシの往復運動の周期と、前記歯ブラシの往復運動における移動速度とに基づいて前記歯磨きを評価することが好ましい。
【００５１】
この構成によれば、ブラッシングの往復繰り返しの速さとブラッシング速度を含めて歯磨きを評価することができるので、歯磨き行動をより適切に評価することができる。
【００５２】
また、本発明に係る歯磨き補助装置は、歯ブラシに関する所定の物理量を示す無線信号を受信して前記物理量を取得する無線受信部と、前記物理量に基づいて音を出力する音出力部とを備える。
【００５３】
また、本発明に係る歯磨き補助プログラムは、歯ブラシに関する所定の物理量を示す無線信号を受信して前記物理量を取得する無線受信手段、前記物理量に基づいて音を出力する音出力手段としてコンピュータを機能させる。
【００５４】
これらの構成によれば、ユーザは、歯ブラシ用アタッチメントが取り付けられた歯ブラシの動かし方に基づく音を出力させることができる。そして、ユーザがその音を聞きながら歯磨きを行うことで、歯磨きの興趣性が高められる。また、ユーザがその音を聞きながら歯磨きを行うことで、その音により歯磨きが補助される。
【００５５】
また、上述の歯磨き補助装置は、前記物理量に基づいて前記歯磨きを評価する磨き方評価部をさらに備え、前記音出力部は、音楽を表す音楽情報を記憶する音楽情報記憶部と、前記音楽情報記憶部に記憶された音楽情報に基づき音楽を出力する音楽出力部とを備え、前記音楽出力部は、前記磨き方評価部により評価された評価結果に基づいて前記音楽の出力態様を変化させることが好ましい。
【００５６】
また、上述の歯磨き補助プログラムは、前記物理量に基づいて前記歯磨きを評価する磨き方評価手段としてさらにコンピュータを機能させ、前記音出力手段は、音楽を表す音楽情報を記憶する音楽情報記憶手段と、前記音楽情報記憶手段に記憶された音楽情報に基づき音楽を出力する音楽出力手段とを含み、前記音楽出力手段は、前記磨き方評価手段により評価された評価結果に基づいて前記音楽の出力態様を変化させることが好ましい。
【００５７】
これらの構成によれば、物理量に基づきユーザの歯磨きが評価され、音楽が出力され、その音楽の出力態様が、歯磨きの評価結果に基づき変化される。これにより、ユーザは、音楽を聴きながら自分の歯磨きの善し悪しを知ることができるので、楽しみながら、歯磨きの質を向上させることが容易となる。
【００５８】
また、本発明に係る歯磨き補助装置は、歯ブラシに関する所定の物理量を示す無線信号を受信して前記物理量を取得する無線受信部と、前記物理量に基づいてユーザの歯磨きによる清掃効果を累積的に評価する清掃効果評価部と、所定の表示画面に画像を表示する表示部と、前記清掃効果評価部による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御部とを備えることが好ましい。
【００５９】
また、本発明に係る歯磨き補助プログラムは、歯ブラシに関する所定の物理量を示す無線信号を受信して前記物理量を取得する無線受信手段、前記物理量に基づいてユーザの歯磨きによる清掃効果を累積的に評価する清掃効果評価手段、所定の表示画面に画像を表示する表示手段、前記清掃効果評価手段による清掃評価結果が予め定められた基準清掃レベルに満たない場合、前記表示画面に所定のキャラクタを表示し、前記清掃評価結果が前記基準清掃レベルを超えた場合、前記キャラクタを消去するキャラクタ表示制御手段としてコンピュータを機能させる。
【００６０】
これらの構成によれば、ブラッシング位置毎に、その位置の清掃度合いに応じてそのブラッシング位置に対応する表示画面の位置にキャラクタが表示される。そのため、ユーザは、ゲーム感覚でキャラクタの表示位置に応じたブラッシング位置でブラッシングすることで、キャラクタを消去することができる。その結果、ユーザは、楽しみながら適切な歯磨きを行うことが可能となる。その結果、歯磨きを習慣づけることが容易となる。
【００６１】
また、本発明に係る歯磨き補助装置は、歯ブラシに関する所定の物理量を示す無線信号を受信して前記物理量を取得する無線受信部と、前記物理量に基づいて、前記ユーザにより歯磨きが開始されたか否かを判定する歯磨開始判定部と、前記歯磨開始判定部によって前記歯磨きが開始されたと判定されたとき、好適な歯磨き時間として予め設定された判定時間が経過するまでの経過時間の計時を開始する計時部と、前記歯磨開始判定部によって前記歯磨きが開始されたと判定されたときから、前記経過時間が前記判定時間に達するまでの間に、所定の情報を報知する報知部とを備える。
【００６２】
また、本発明に係る歯磨き補助プログラムは、歯ブラシに関する所定の物理量を示す無線信号を受信して前記物理量を取得する無線受信手段、前記物理量に基づいて、前記ユーザにより歯磨きが開始されたか否かを判定する歯磨開始判定手段、前記歯磨開始判定手段によって前記歯磨きが開始されたと判定されたとき、好適な歯磨き時間として予め設定された判定時間が経過するまでの経過時間の計時を開始する計時手段、前記歯磨開始判定手段によって前記歯磨きが開始されたと判定されたときから、前記経過時間が前記判定時間に達するまでの間に、所定の情報を報知する報知手段としてコンピュータを機能させることが好ましい。
【００６３】
この構成によれば、歯磨きが開始されてから、好適な歯磨き時間として予め設定された判定時間が経過するまでの間、所定の情報が報知される。その結果、ユーザは歯磨き中に情報を入手することができ、時間の有効活用ができるので、歯磨きを習慣づけることが容易となる。また、情報が報知されている時間の間、歯磨きを続けることにより歯磨き時間が適切となる。これにより、歯磨きが補助され、歯磨きの質が向上する。
【発明の効果】
【００６４】
このような構成のブラシモジュール、歯ブラシ用アタッチメント、歯磨き補助システム、歯磨き評価システム、歯磨き補助装置、及び歯磨き補助プログラムによれば、歯磨き中でも、ユーザの歯磨き行動に関する情報を知ることが容易である。
【図面の簡単な説明】
【００６５】
【図１】本発明の一実施形態に係る歯ブラシ用アタッチメントを用いた歯磨き補助システムの構成の一例を示す概念図である。
【図２】図１に示す歯ブラシ用アタッチメントを歯ブラシから取り外した状態を示す平面図である。
【図３】図１に示す歯ブラシ用アタッチメントに充電器を取り付け、歯ブラシスタンドとした状態を示す平面図である。
【図４】図１に示す歯ブラシ用アタッチメントの斜視図である。
【図５】図４に示す歯ブラシ用アタッチメントのＶ−Ｖ線断面図である。
【図６】図４に示す歯ブラシ用アタッチメントの他の一例を示す斜視図である。
【図７】図６に示す歯ブラシ用アタッチメントのVII−VII線断面図である。
【図８】図４に示す歯ブラシ用アタッチメントの他の一例を示す斜視図である。
【図９】図８に示す歯ブラシ用アタッチメントのIX−IX線断面図である。
【図１０】図１に示す歯磨き補助システムの電気的構成の一例を示すブロック図である。
【図１１】図１０に示す音楽演奏部によって、タッチパネルディスプレイに表示される表示画面の一例を示す画面図である。
【図１２】本発明の一実施形態に係る歯磨き補助プログラムに関する音楽出力部の動作の一例を示すフローチャートである。
【図１３】本発明の一実施形態に係る歯磨き補助プログラムに関するゲーム部の動作の一例を示すフローチャートである。
【図１４】ゲーム画面の一例を示す画面図である。
【図１５】ユーザが歯磨き中の表示画面の一例を示す画面図である。
【図１６】積算値が判定基準値を超えた場合の表示画面の一例を示す画面図である。
【図１７】ゲーム終了画面の一例を示す画面図である。
【図１８】得点画面の一例を示す画面図である。
【図１９】本発明の一実施形態に係る歯磨き補助プログラムに関する歯磨きタイマ部の動作の一例を示すフローチャートである。
【図２０】無線端末装置のタッチパネルディスプレイに表示される表示画面の一例を示す画面図である。
【図２１】図１０に示す磨き方評価部によって、判定基準テーブルに基づく評価方法を行う場合の動作の一例を示すフローチャートである。
【図２２】図１０に示す磨き方評価部によって、判定基準テーブルに基づく評価方法を行う場合の動作の一例を示すフローチャートである。
【図２３】図８、図９に示す歯ブラシ用アタッチメントの別の一例を示す説明図である。
【図２４】図８、図９に示す歯ブラシ用アタッチメントの別の一例を示す説明図である。
【図２５】図２３に示す歯ブラシ用アタッチメントの電気的構成の一例を示すブロック図である。
【図２６】ブラシの動きの幅に基づく評価結果をタッチパネルディスプレイに表示する報知画面の一例を示す画面図である。
【図２７】ユーザの歯磨き中に、音楽演奏部によってタッチパネルディスプレイに表示される表示画面の一例である。
【図２８】ユーザの歯磨き中に、ゲーム部によってタッチパネルディスプレイに表示される表示画面の一例である。
【図２９】図１１を線図で表した図面である。
【図３０】図１４を線図で表した図面である。
【図３１】図１５を線図で表した図面である。
【図３２】図１６を線図で表した図面である。
【図３３】図１７を線図で表した図面である。
【図３４】図１８を線図で表した図面である。
【発明を実施するための形態】
【００６６】
ところで、近年電動歯ブラシが普及しつつあるものの、まだまだ手動の歯ブラシを利用しているユーザの方が多いのが実情である。しかしながら、特許文献１に記載の技術では、手動の歯ブラシから歯磨き行動に関する情報を取得することが容易でなく、従って、ユーザが手動の歯ブラシを用いて歯磨きを行った場合、その歯磨き行動に関する情報を取得することができないという、不都合があった。
【００６７】
従って、ユーザが手動の歯ブラシを用いた場合であっても、ユーザの歯磨き行動に関する情報を取得することができる歯ブラシ用アタッチメント、歯磨き補助システム、及び歯磨き評価システムを提供することが好ましい。
【００６８】
また、多くのユーザにとっては、歯磨きを行うこと自体が煩雑であり、歯磨きが楽しくないという、不都合があった。
【００６９】
そのため、歯磨きの興趣性を高めることができる歯磨き補助システム、歯磨き補助装置、及び歯磨き補助プログラムを提供することが好ましい。
【００７０】
以下、本発明に係る実施形態を図面に基づいて説明する。なお、各図において同一の符号を付した構成は、同一の構成であることを示し、その説明を省略する。図１は、本発明の一実施形態に係る歯ブラシ用アタッチメントを用いた歯磨き補助システムの構成の一例を示す概念図である。
【００７１】
図１に示す歯磨き補助システム１は、歯ブラシ用アタッチメント２と、無線端末装置３とを備えている。無線端末装置３は、例えば携帯型の無線通信端末装置であり、無線端末装置３としては、いわゆるスマートフォンやタブレット端末、眼鏡型やリストバンド型等のウェアラブル端末装置、携帯型パーソナルコンピュータ、あるいは携帯電話端末装置等の無線通信機能を有する端末装置を用いることができる。なお、無線端末装置３は、携帯型の端末装置に限らず、デスクトップパソコン等の固定型の無線通信端末装置であってもよい。無線端末装置３は、本発明の一実施形態に係る歯磨き補助装置の一例に相当している。
【００７２】
歯ブラシ用アタッチメント２は、防水構造の筐体２０１（筐体部）内に、後述するセンサ部２１、無線送信部２２、及び図略の電池等を含む回路ブロック２０７が収容されて構成されている。回路ブロック２０７は、歯ブラシモジュールの一例に相当している。筐体２０１には、歯ブラシ４に筐体２０１を連結するための連結機構２０２が設けられている。歯ブラシ用アタッチメント２は、連結機構２０２によって、図２に示すように、歯ブラシ４に対して着脱可能に構成されている。
【００７３】
歯ブラシ４は、略棒状のハンドル部４１の一端部に、毛束４２１が植設されたヘッド部４２が設けられて構成されている。連結機構２０２は、ハンドル部４１のヘッド部４２とは反対側の端部４１１側を把持するように構成されている。連結機構２０２が端部４１１側を把持することにより、歯ブラシ４と歯ブラシ用アタッチメント２とが連結され、歯ブラシ４に歯ブラシ用アタッチメント２が取り付けられる。歯ブラシ用アタッチメント２は、歯ブラシ４に取り付けられると、ユーザの歯磨きに伴い歯ブラシ４と一体に動くようになっている。歯ブラシ４は、例えば電動歯ブラシの替えブラシであってもよい。
【００７４】
歯ブラシ用アタッチメント２は、略平坦な底面２０３を有している。底面２０３は、歯ブラシ用アタッチメント２が歯ブラシ４に取り付けられた状態でハンドル部４１の長尺方向に対して略垂直となる。従って、歯ブラシ４を立てて底面２０３をテーブルなどにおくことで、歯ブラシ用アタッチメント２が取り付けられた歯ブラシ４を立てて置くことができる。これにより、歯ブラシ用アタッチメント２は、歯ブラシスタンドとして用いることができる。
【００７５】
歯ブラシ用アタッチメント２の動作用電源は、例えばボタン電池のような小型の一次電池を用いて交換可能にしてもよく、二次電池を内蔵して充電可能にしてもよい。歯ブラシ用アタッチメント２の動作用電源として二次電池を用いる場合、例えば図３に示すように、充電器５を底面２０３に取り付け可能とし、歯ブラシ４を立てた状態で例えば非接触充電方式で充電するようにしてもよい。
【００７６】
図４は、図１に示す歯ブラシ用アタッチメント２の斜視図である。図５は、図４に示す歯ブラシ用アタッチメント２のＶ−Ｖ線断面図である。筐体２０１は、例えば樹脂材料で構成され、略円柱形状を有している。筐体２０１内の略中央部には、歯ブラシ４の端部４１１を受け入れるための筒状に形成された筒状部２０１ａが配設されている。そして、筒状部２０１ａと筐体２０１との間に挟まれた空間内に、回路ブロック２０７が例えば樹脂モールドされて防水状態で収納されている。筐体２０１の側面には、例えば歯ブラシ用アタッチメント２の動作状態を示すためのＬＥＤ（Light Emitting Diode）表示部２０４が設けられている。底面２０３には、充電器５に形成された突起部と嵌合する位置決め用の孔や凹部等が形成されている。
【００７７】
筐体２０１の外周部は、底面２０３と反対側に筒状に延設されて、筒状の連結フレーム２０５が構成されている。連結フレーム２０５の内周部には、複数、例えば８個の弾性部材２０６が取り付けられている。弾性部材２０６は、例えばシリコンゴム、天然ゴム、合成ゴム等の弾性を有するエラストマから構成されている。連結フレーム２０５と弾性部材２０６とから、連結機構２０２が構成されている。複数の弾性部材２０６で取り囲まれた空間内に歯ブラシ４のハンドル部４１の端部４１１を挿入することで、複数の弾性部材２０６でハンドル部４１の端部４１１側が把持されて、筐体２０１とハンドル部４１とが連結される。歯ブラシ４は、連結機構２０２の把持力に抗して歯ブラシ４を連結機構２０２から引き抜くことで、歯ブラシ４と歯ブラシ用アタッチメント２とを分離可能にされている。これにより、歯ブラシ用アタッチメント２は、歯ブラシ４に対して着脱可能にされている。
【００７８】
なお、歯ブラシ用アタッチメント２は、図４、図５に示す構造に限らない。図６、図８は、歯ブラシ用アタッチメント２の他の一例を示す斜視図である。図７は、図６に示す歯ブラシ用アタッチメント２のVII−VII線断面図である。図９は、図８に示す歯ブラシ用アタッチメント２のIX−IX線断面図である。
【００７９】
図６、図７に示す歯ブラシ用アタッチメント２は、連結フレーム２０５が扁平な筒状に構成されている。連結フレーム２０５の一端側には、筐体２０１を包み込むように裾状に拡がる把持部２０８が設けられている。図７に示す筐体２０１は、例えば略円筒形とされ、その両端が底板と上蓋とで塞がれた構造とされている。把持部２０８が筐体２０１を把持することにより、筐体２０１に連結フレーム２０５が取り付けられている。弾性部材２０６は、連結フレーム２０５の軸方向に沿って延びる突条にされている。連結フレーム２０５、弾性部材２０６、及び把持部２０８は、例えばシリコンゴム、天然ゴム、合成ゴム等の弾性を有するエラストマにより一体成形されて構成されている。
【００８０】
図８、図９に示す歯ブラシ用アタッチメント２は、図６、図７に示す歯ブラシ用アタッチメント２とは、複数の弾性部材２０６が、連結フレーム２０５の内周に沿って環状に形成された突条とされている点で異なる。図８、図９に示す歯ブラシ用アタッチメント２のその他の構成は図６、図７に示す歯ブラシ用アタッチメント２と同様であるのでその説明を省略する。
【００８１】
図１０は、図１に示す歯磨き補助システム１の電気的構成の一例を示すブロック図である。歯ブラシ用アタッチメント２は、センサ部２１と、無線送信部２２とを備えている。センサ部２１は、歯ブラシ４に関する所定の物理量を検出する。具体的には、センサ部２１として、加速度を検出する加速度センサを用いることができる。加速度センサとしては、三方向の加速度を検出する三軸加速度センサを好適に用いることができる。
【００８２】
歯ブラシ用アタッチメント２は、歯ブラシ４に取り付けられた状態で歯ブラシ４と一体に動くので、センサ部２１は、歯ブラシ４の動きに伴う加速度を、歯ブラシ４に関する物理量として検出する。
【００８３】
また、センサ部２１は、地球の重力により生じる重力加速度を検出する。歯ブラシ用アタッチメント２は歯ブラシ４と一体に動くので、歯ブラシ４の姿勢変更に応じて歯ブラシ用アタッチメント２が姿勢変更し、センサ部２１で検出される重力加速度の方向が変化する。従って、センサ部２１で検出される重力加速度の方向から、歯ブラシ４の姿勢を検出することができる。以下、説明を簡略化するために、センサ部２１で検出された重力加速度の方向に基づき歯ブラシの姿勢を検出することを、単に、センサ部２１で歯ブラシの姿勢を検出する、と記載する。
【００８４】
なお、センサ部２１は加速度センサに限らない。センサ部２１は、例えば歯ブラシ４の回転角や角速度を検出するジャイロセンサ、地磁気を検出する磁気コンパス、位置情報を取得するＧＰＳ（Global Positioning System）、毛束４２１のユーザの歯への押圧力を検出する圧力センサ、距離を計測する距離センサ、あるいはマイクなどのセンサであってもよく、これらのセンサを複数含んでいてもよい。
【００８５】
歯ブラシ用アタッチメント２によれば、手動の歯ブラシ４に対して、連結機構２０２により歯ブラシ用アタッチメント２を取り付けることができる。歯ブラシ４に歯ブラシ用アタッチメント２が取り付けられると、歯ブラシ４と歯ブラシ用アタッチメント２の筐体２０１とが一体に動くので、ユーザが歯ブラシ４を用いて歯磨きを行うと、その歯磨き行動の動きが筐体２０１に収納されたセンサ部２１に伝わる。従って、センサ部２１において、ユーザの歯磨き行動に関する情報を取得することができる。このようにして得られたユーザの歯磨き行動に関する情報を、無線送信部２２によって外部に送信することができるので、ユーザが手動の歯ブラシ４を用いた場合であっても、ユーザの歯磨き行動に関する情報を外部で取得することができる。
【００８６】
無線送信部２２は、例えばＢｌｕｅｔｏｏｔｈ（登録商標）、ＷｉＦｉ（登録商標）、ＺｉｇＢｅｅ、ＮＦＣ（Near Field Communication）等の電磁波による無線通信回路や、赤外線通信、可視光通信等、種々の無線通信方式を用いることができる。無線送信部２２は、センサ部２１により検出された加速度（物理量）を示す無線信号を送信する。
【００８７】
無線端末装置３は、無線受信部３１、タッチパネルディスプレイ３２（表示部）、スピーカ３３、カメラＣＡＭ（撮像部）、及び制御部３４を備えている。無線受信部３１は、無線送信部２２と同じ無線通信方式により無線信号を受信する無線通信回路である。無線受信部３１は、無線送信部２２から無線信号を受信し、その無線信号からセンサ部２１で検出された加速度を示す加速度情報を取得し、制御部３４へ出力する。
【００８８】
タッチパネルディスプレイ３２は、例えば液晶表示装置と、その液晶表示装置の表示画面上をユーザがタッチした位置を検出するタッチパネルとが組み合わされて構成されている。なお、タッチパネルディスプレイ３２の代わりに、例えば液晶表示装置等の表示器と、キーボード等の操作入力装置とを備えてもよい。
【００８９】
スピーカ３３は、制御部３４から出力された信号に応じて音を出力する。カメラＣＡＭは、無線端末装置３のタッチパネルディスプレイ３２側を撮影するいわゆるインカメラであり、タッチパネルディスプレイ３２を見ているユーザの顔付近を撮像するようになっている。
【００９０】
制御部３４は、例えば、所定の演算処理を実行するＣＰＵ（Central Processing Unit）、一時的にデータを記憶するＲＡＭ（Random Access Memory）、例えばフラッシュメモリやＥＥＰＲＯＭ（Electrically Erasable Programmable Read-Only Memory）等の不揮発性の記憶部、タイマ回路、及びこれらの周辺回路等を備えて構成されている。記憶部には、本発明の一実施形態に係る歯磨き補助プログラム、所定の制御プログラムやアプリケーションプログラム等のプログラム、及びデータ等が記憶されている。なお、歯磨き補助プログラムは、光ディスクや半導体メモリ等の記憶媒体に記憶されていてもよく、歯磨き補助プログラムを記憶した記憶媒体として構成されていてもよい。
【００９１】
制御部３４は、例えば上述の歯磨き補助プログラムを実行することにより、音楽演奏部３５、ゲーム部３６、及び歯磨きタイマ部３７として機能する。音楽演奏部３５は、主に、ブラッシング位置判定部３５１、磨き方評価部３５２（評価部）、音楽出力部３５４（音出力部、出力部）、及び音楽情報記憶部３５３を含む。音楽情報記憶部３５３は、上述のＲＡＭや記憶部を用いて構成されている。ゲーム部３６は、主に、ブラッシング位置判定部３６１、清掃効果評価部３６２（評価部）、及びキャラクタ表示制御部３６３（出力部）を含む。歯磨きタイマ部３７は、主に、歯磨開始判定部３７１、計時部３７２、及び報知部３７３（出力部）を含む。これらのプログラムは、例えば図略の無線電話回線やインターネット等の通信ネットワークを介してダウンロードされる構成としてもよい。
【００９２】
タッチパネルディスプレイ３２には、例えば音楽演奏部３５、ゲーム部３６、及び歯磨きタイマ部３７にそれぞれ対応する図略のアイコンが表示され、音楽演奏部３５に対応するアイコンがタッチされた場合に音楽演奏部３５が実行を開始し、ゲーム部３６に対応するアイコンがタッチされた場合にゲーム部３６が実行を開始し、歯磨きタイマ部３７に対応するアイコンがタッチされた場合に歯磨きタイマ部３７が実行を開始するようになっている。タッチパネルディスプレイ３２は、このような機能選択操作や各種モード選択操作等のユーザの操作を受け付ける入力部としても用いられる。
【００９３】
まず、音楽演奏部３５について説明する。図１１（図２９）は、図１０に示す音楽演奏部３５によって、タッチパネルディスプレイ３２に表示される表示画面の一例を示す画面図である。音楽演奏部３５は、概略的に、ソングモードとフリーモードとを実行可能にされている。
【００９４】
ソングモードでは、音楽演奏部３５は、加速度情報に応じて、うまく歯が磨けているときは音楽が適切に演奏され、うまく歯が磨けていないときは音楽の音程を外したり、ハーモニーを外したり、あるいはリズムを外したりして音楽の出力態様を変化させる。
【００９５】
フリーモードでは、音楽演奏部３５は、無線受信部３１で得られた加速度情報に応じて出力する音を変化させることにより、ユーザが歯ブラシ４を楽器のように用いて、あたかも音楽を演奏するように歯磨きを楽しむことができる。
【００９６】
ソングモードとフリーモードとは、例えば図１１（ａ）（図２９（ａ））に示す選択画面Ｇ１で選択可能にされている。例えば、ユーザがソングモードボタンＢ１をタッチ操作することでソングモードが選択され、ユーザがフリーモードボタンＢ２をタッチ操作することでフリーモードが選択される。
【００９７】
以下、具体的に説明すると、ブラッシング位置判定部３５１は、無線受信部３１によって取得された加速度情報に基づいて、歯ブラシ４によるユーザの歯のブラッシング位置を判定する。ブラッシング位置は、例えば、下の右側奥歯、下の左側奥歯、上の右側奥歯、上の左側奥歯、及び上下の前歯の５つのいずれかに判定される。なお、ブラッシング位置は、上述の５つの位置のいずれかに判定される例に限らない。ブラッシング位置判定部３５１は、ブラッシング位置を、例えば、下の右側奥歯、下の左側奥歯、上の右側奥歯、及び上の左側奥歯の４つのいずれかに判定するようにしてもよく、６つ以上の位置により詳細に判定するようにしてもよい。
【００９８】
ブラッシング位置判定部３５１によるブラッシング位置の判定方法としては、例えば、特表２０１１−５２４７５６号公報（ＷＯ２００９／１４１４８９）、特許第４５４３６６３号公報、特開２００９−２４０７６０号公報（ＵＳ２０１１０１０８７６）、特開２０１１−１３９８４４号公報（ＵＳ２０１２２６６３９７）等に記載の方法を用いることができる。
【００９９】
ソングモード又はフリーモードが選択された後、制御部３４によって、タッチパネルディスプレイ３２に、図１１（ｂ）（図２９（ｂ））に示す歯磨き中画面Ｇ２が表示される。歯磨き中画面Ｇ２には、カメラＣＡＭによって撮像されたユーザの画像であるユーザ画像Ｇ２１と、ブラッシング位置判定部３５１により判定されたブラッシング位置を表示するブラッシング位置表示画像Ｇ２２とが表示される。ブラッシング位置表示画像Ｇ２２は、例えば人の歯形を模した画像のうち、ブラッシング位置に対応する部分の色が変色することで、ブラッシング位置を表示するようになっている。ソングモード又はフリーモードが終了すると、図１１（ｃ）（図２９（ｃ））に示す終了画面Ｇ３がタッチパネルディスプレイ３２に表示される。
【０１００】
以下の説明において、画像は、静止画像であってもよく、動画画像であってもよい。
【０１０１】
磨き方評価部３５２は、無線受信部３１で得られた加速度情報に基づいてユーザの歯磨きの磨き方の巧拙を評価する。歯磨きの評価方法として、加速度情報から、例えば単位時間当たりの往復運動回数（ブラッシング周波数）を算出し、この往復運動回数が、予め設定された適正回数範囲内であるか否かによって、歯磨きが良好か否かを評価することができる。あるいは、センサ部２１で検出された歯ブラシの姿勢が、予め設定された適切な姿勢であるか否かによって、歯磨きが良好か否かを評価してもよい。
【０１０２】
なお、磨き方評価部３５２は、ユーザによる歯磨きが良好か否かを評価することができればよく、その評価方法は限定されない。磨き方評価部３５２は、加速度情報に基づいて評価を行う例に限られず、圧力や温度など、他の物理量に基づいて評価を行ってもよい。
【０１０３】
また、例えば、ブラッシング位置（清掃部位）毎に、正しい歯磨き行動に対応する基準物理量を例えば実験的に求めて予め記憶部に記憶させておき、磨き方評価部３５２は、記憶部を参照してブラッシング位置判定部３５１により判定された現在のブラッシング位置に対応する基準物理量を取得し、無線受信部３１で得られた物理量と基準物理量の差に基づいて、評価を実行するようにしてもよい。評価は、良否判定に限られない。磨き方評価部３５２は、例えば、歯磨き行動の良好さの程度を指標化することにより得られた評価指標を評価結果として求める構成であってもよい。例えば、例えば歯磨き行動が良好であるほど値が大きくなるような数値を評価指標として用いることができる。
【０１０４】
音楽情報記憶部３５３には、予め音楽を演奏するための音楽データが記憶されている。音楽データは、例えば図略の無線電話回線やインターネットを介して音楽情報記憶部３５３にダウンロードされる構成としてもよい。音楽情報記憶部３５３には、複数の曲に対応した複数の音楽データを記憶してもよい。また、音楽情報記憶部３５３は、同じ音楽を互いに異なる楽器を用いて演奏した複数の音楽データを記憶してもよい。
【０１０５】
音楽出力部３５４は、ソングモードでは、音楽情報記憶部３５３に記憶された音楽情報に基づきスピーカ３３から音楽を出力させる。音楽出力部３５４は、例えば出力する曲を選択する曲選択指示や、楽器を選択する楽器選択指示等を受け付けて、受け付けられた指示に応じた曲や楽器によって音楽を出力するようにしてもよい。そして、音楽出力部３５４は、ソングモードでは、磨き方評価部３５２により評価された評価結果に基づいて音楽の出力態様を変化させる。
【０１０６】
一方、フリーモードでは、音楽出力部３５４は、無線受信部３１で得られた加速度情報に基づいて音を出力する音出力部として機能する。
【０１０７】
図１２は、本発明の一実施形態に係る歯磨き補助プログラムに関する音楽出力部３５４の動作の一例を示すフローチャートである。まず、例えば無線端末装置３のタッチパネルディスプレイ３２に表示された音楽演奏部３５に対応するアイコンがユーザによってタッチされると、音楽演奏部３５が動作を開始し、音楽演奏部３５によって図１１（ａ）（図２９（ａ））に示す選択画面Ｇ１が表示される。そして、ユーザが選択画面Ｇ１のソングモードボタンＢ１をタッチして歯磨きを開始すると（ステップＳ１でソングモード）、音楽演奏部３５はソングモードの実行を開始し、図１１（ｂ）（図２９（ｂ））に示す歯磨き中画面Ｇ２を表示し、図略のタイマ回路によって経過時間ｔｐの計時を開始させる（ステップＳ２）。
【０１０８】
タッチパネルディスプレイ３２に歯磨き中画面Ｇ２が表示されると、ユーザは、ブラッシング位置表示画像Ｇ２２によってブラッシング位置を確認しながら、ユーザ画像Ｇ２１を見て自分の歯磨き行動をリアルタイムで動画映像で確認できるので、自分の歯磨き行動を適切に修正することが容易である。
【０１０９】
なお、ブラッシング位置表示画像Ｇ２２には、ブラッシング位置判定部３５１により判定されたブラッシング位置が表示される例に限らない。制御部３４は、好適な歯磨き時間例えば三分間で、例えば下の右側奥歯、下の左側奥歯、上の右側奥歯、上の左側奥歯、及び上下の前歯の各ブラッシング位置について、適切な時間配分でバランスよくブラッシングできるように、ブラッシング位置表示画像Ｇ２２によって、ブラッシングすべきブラッシング位置を順次指示するようにしてもよい。
【０１１０】
制御部３４は、例えばユーザに下の右側奥歯のブラッシングを指示するときは、ブラッシング位置表示画像Ｇ２２の下の右側奥歯に対応する部分の色を赤色に変化させる。そして、下の右側奥歯を磨かせたい時間、例えば３５秒間、その部分を赤色に維持する。これにより、ユーザに、下の右側奥歯を３５秒間磨かせることができる。このようにして、順次、各ブラッシング位置を指示することにより、ユーザに適切な歯磨き行動を指導することが可能となる。
【０１１１】
次に、磨き方評価部３５２によって、無線受信部３１で得られた加速度情報に基づいてユーザの歯磨きの磨き方が評価される（ステップＳ３）。なお、磨き方評価部３５２による磨き方評価は、音楽演奏部３５によるソングモードの動作が終了するまで継続され、性能的なタイムラグはあるものの実質的にリアルタイムでその評価結果が音楽出力部３５４（出力部）へ出力される。
【０１１２】
なお、ブラッシング位置表示画像Ｇ２２によってブラッシングすべきブラッシング位置を順次指示するようにした場合、磨き方評価部３５２は、ブラッシング位置表示画像Ｇ２２の指示位置と、ブラッシング位置判定部３５１により判定されたブラッシング位置とが、一致している場合に歯磨きが良好（評価指標が高い）と判定し、一致していない場合に歯磨きが良好でない（評価指標が低い）と評価してもよい。あるいは、磨き方評価部３５２は、複数の評価方法を組み合わせて総合的に、歯磨きが良好か否かの評価、又は評価指標の生成を行うようにしてもよい。
【０１１３】
次に、音楽出力部３５４によって、音楽情報記憶部３５３に記憶された音楽情報に基づきスピーカ３３から音楽が出力されると共に、磨き方評価部３５２の評価結果に基づいて音楽の出力態様が実質的にリアルタイムで変化される（ステップＳ４）。
【０１１４】
具体的には、例えば磨き方評価部３５２の評価結果が良好であれば、音楽情報で表される、本来の音楽、すなわちユーザにとって心地よい音楽が出力される。一方、例えば磨き方評価部３５２の評価結果が良好でなければ、音楽出力部３５４は、音楽の本来の音程からずれた音程で音楽を出力したり、ハーモニーを外したり、あるいはリズムを外したりすることにより、ユーザに対して不快感や違和感を感じさせるような態様に音楽を変化させて出力する。
【０１１５】
磨き方評価部３５２が、評価結果を上述の評価指標として求める場合、評価指標で示される評価が低いほど、音楽出力部３５４は、音程のずらし量、ハーモニーの外れる程度、あるいはリズムの外れる程度を大きくするようにしてもよい
【０１１６】
なお、制御部３４（出力部）は、無線受信部３１で得られた物理量に基づいて、歯ブラシ４の使用方法が適切であるか否かを示すメッセージや画像をタッチパネルディスプレイ３２に表示させてもよい。また、制御部３４は、歯ブラシ４の適切な使用方法を示す画像をタッチパネルディスプレイ３２に表示させてもよい。これにより、ユーザに適切な歯磨き行動を指導することが可能となる。また、ユーザが音楽や音を聞きながら、さらに画像で自分の実際の歯磨き行動やその評価結果、あるいは適切な歯磨き方法を確認しながら歯磨きを行うことで、ユーザは、楽しみながら、適切な歯磨き方法を学習することができる。
【０１１７】
ステップＳ４の実行中、音楽出力部３５４は、出力された音楽を例えばＲＡＭに記憶させておくようにしてもよい。また、ステップＳ４の実行中、制御部３４は、ユーザ画像Ｇ２１を動画データとしてＲＡＭに記憶させておくようにしてもよい。
【０１１８】
これにより、ユーザが適切に歯磨きができていないときは、ユーザは音楽から不快感や違和感を感じるので、ユーザは、ごく自然に音楽を良好な態様に戻してその不快感や違和感を取り除こうとする。ユーザの歯磨きが適切になると、磨き方評価部３５２の評価結果が良好になり、本来の心地よい音楽に変化するので、ユーザは音楽による心地よさと共に歯磨きがうまくできたという達成感を得ることができ、楽しみながら歯磨きを行うことができる。
【０１１９】
音楽演奏部３５は、経過時間ｔｐが、適切な歯磨き時間として予め設定された判定時間ｔｊ、例えば３分以上になると（ステップＳ５でＹＥＳ）、ソングモードの実行を終了し、図１１（ｃ）（図２９（ｃ））に示す終了画面Ｇ３をタッチパネルディスプレイ３２に表示する。
【０１２０】
音楽出力部３５４や制御部３４が、出力された音楽やユーザ画像Ｇ２１の動画データを記憶していた場合、音楽演奏部３５は、その記憶された音楽を保存したりシェアしたりする指示を受け付ける保存ボタンＢ３及びシェアボタンＢ４を終了画面Ｇ３に表示させる。そして、例えば保存ボタンＢ３がユーザによってタッチされると、音楽演奏部３５は、その歯磨き中に記憶された音楽や動画データを、例えば無線端末装置３の記憶部や、ネットワーククラウドに設けられた記憶装置等に記憶させるようにしてもよい。
【０１２１】
一方、ユーザが選択画面Ｇ１のフリーモードボタンＢ２をタッチして歯磨きを開始すると（ステップＳ１でフリーモード）、音楽演奏部３５は、フリーモードの実行を開始し、図１１（ｂ）（図２９（ｂ））に示す歯磨き中画面Ｇ２を表示し、図略のタイマ回路によって経過時間ｔｐの計時を開始させる（ステップＳ１１）。
【０１２２】
次に、音楽出力部３５４は、無線受信部３１で得られた加速度情報に応じた音を、実質的にリアルタイムでスピーカ３３から出力させる（ステップＳ１２）。具体的には、例えば、ブラッシング位置判定部３５１により判定可能な複数のブラッシング位置に対応して、互いに異なる音を予め対応付けておき、加速度情報に基づきブラッシング位置判定部３５１により判定されたブラッシング位置に対応する音をスピーカから出力するようにしてもよい。
【０１２３】
これにより、ユーザは、歯ブラシ４でブラッシングする位置を変えることで、任意の音をスピーカから出力させることができるので、あたかも音楽を演奏するように歯磨きを楽しむことができる。
【０１２４】
なお、音楽出力部３５４は、ブラッシング位置に対応する音をスピーカから出力する例に限られず、例えば加速度情報で示される加速度の大小や方向、歯ブラシ４の姿勢などに応じて音を変化させてもよい。
【０１２５】
ステップＳ４の実行中と同様、ステップＳ１２の実行中、音楽出力部３５４は、出力された音楽を例えばＲＡＭに記憶させておくようにしてもよい。また、ステップＳ１２の実行中、制御部３４は、ユーザ画像Ｇ２１を動画データとしてＲＡＭに記憶させておくようにしてもよい。
【０１２６】
音楽演奏部３５は、経過時間ｔｐが、適切な歯磨き時間として予め設定された判定時間ｔｊ、例えば３分以上になると（ステップＳ１３でＹＥＳ）、フリーモードの実行を終了し、上述のソングモードの場合と同様、図１１（ｃ）（図２９（ｃ））に示す終了画面Ｇ３をタッチパネルディスプレイ３２に表示する。そして、例えば保存ボタンＢ３がユーザによってタッチされると、音楽演奏部３５は、その歯磨き中に記憶された音楽を、例えば無線端末装置３の記憶部や、ネットワーククラウドに設けられた記憶装置等に記憶させるようにしてもよい。
【０１２７】
これにより、ユーザは、歯磨き中に歯ブラシ４を使って自分で演奏した音楽を、保存してあとで楽しむことができるので、歯磨きの楽しみを増大させることができる。
【０１２８】
以上のように、歯ブラシ用アタッチメント２は、手動の一般的な歯ブラシ４に取り付けることができ、歯ブラシ４に関する物理量、すなわちユーザの歯磨き行動に関する情報を無線信号として送信することができるので、普通の歯ブラシ４を、歯磨き行動に関する情報を送信する情報端末にすることができる。
【０１２９】
また、ステップＳ１〜Ｓ１３の処理（音楽演奏部３５）によれば、ソングモードではユーザによる歯磨きの巧拙に応じて音楽が変化するので、歯磨きを楽しみながら適切な歯磨き方法を身に付けることができる。フリーモードではユーザが歯ブラシ４を楽器のように用いて音楽を演奏することができるので、楽しみながら歯磨きを行うことができる。その結果、ユーザに、自然に歯磨き習慣を身に付けさせることが可能となる。
【０１３０】
次に、ゲーム部３６について大略的に説明する。図１４（図３０）は、ゲーム部３６によって、タッチパネルディスプレイ３２に表示される表示画面の一例を示す画面図である。図１４（図３０）に示すゲーム画面Ｇ１１は、例えば領域Ａ１，Ａ２，Ａ３，Ａ４，Ａ５の５つの領域に分割されている。各領域は、ユーザの歯のブラッシング位置に対応付けられている。各領域には、例えば虫歯菌をイメージしたキャラクタ画像Ｃが表示されている。そして、ユーザの歯磨きの進行に応じて、適切に磨かれたブラッシング位置に対応する領域のキャラクタ画像Ｃが消去されるようになっている。これにより、ユーザは、ゲーム感覚で歯磨きを楽しむことができる。
【０１３１】
また、ユーザは、タッチパネルディスプレイ３２を操作することによって、音楽演奏部３５、ゲーム部３６、及び歯磨きタイマ部３７のいずれを動作させるかを選択することができるので、例えば子供やシミュレーション感覚を好むユーザは、ゲーム部３６を選択することによって、ユーザの嗜好に応じて楽しみながら歯磨きを行うことが可能となる。
【０１３２】
次に、図１０を参照してゲーム部３６の各部について具体的に説明する。ブラッシング位置判定部３６１は、ブラッシング位置判定部３５１と同様であるのでその説明を省略する。なお、音楽演奏部３５がブラッシング位置判定部３５１を備え、ゲーム部３６がブラッシング位置判定部３６１を備える例を示したが、同一のブラッシング位置判定部を音楽演奏部３５とブラッシング位置判定部３５１とで共用してもよい。
【０１３３】
清掃効果評価部３６２は、ブラッシング位置判定部３６１により判定された、下の右側奥歯、下の左側奥歯、上の右側奥歯、上の左側奥歯、及び上下の前歯の５つのブラッシング位置毎に、ユーザのブラッシングによる清掃効果を累積的に評価する。具体的には、清掃効果評価部３６２は、例えば、加速度情報に基づき１回のブラッシングの移動距離を算出する。
【０１３４】
清掃効果評価部３６２は、このようにして得られたブラッシングの移動距離を、ブラッシング位置判定部３６１により判定されたブラッシング位置毎に積算する。ブラッシングの移動距離は、ブラッシングによる歯の清掃効果に対応すると考えられる。従って、ブラッシング位置毎の移動距離の積算値Ｓｘは、ブラッシング位置毎の清掃効果を表している。そこで、清掃効果評価部３６２は、積算値Ｓｘを、ブラッシング位置毎のブラッシングによる累積的な清掃評価結果として用いることができる。
【０１３５】
なお、清掃効果評価部３６２は、積算値Ｓｘを累積的な清掃評価結果として用いる例に限らない。例えば、ブラッシングの移動距離に、磨き方評価部３５２の評価結果を加味した評価指標を算出し、その積算値を累積的な清掃評価結果として用いてもよく、他の評価方法を用いてもよい。
【０１３６】
キャラクタ表示制御部３６３は、各ブラッシング位置を適切に清掃するために必要な、ブラッシングの移動距離を判定基準値Ｓｊ（基準清掃レベル）として予め設定し、清掃効果評価部３６２による清掃評価結果である積算値Ｓｘが判定基準値Ｓｊ以下のブラッシング位置に対応する領域にキャラクタ画像Ｃを表示し、積算値Ｓｘが判定基準値Ｓｊを超えた場合にそのブラッシング位置に対応する領域に表示されたキャラクタ画像Ｃを消去する。キャラクタ画像Ｃは、静止画であってもよく動画であってもよい。キャラクタ表示制御部３６３は、静止画又は動画の画像を出力する出力部の一例に相当している。
【０１３７】
図１３は、本発明の一実施形態に係る歯磨き補助プログラムに関するゲーム部３６の動作の一例を示すフローチャートである。まず、例えば無線端末装置３のタッチパネルディスプレイ３２に表示されたゲーム部３６に対応するアイコンをユーザがタッチして歯磨きを開始すると、ゲーム部３６がゲームを開始する（ステップＳ２１でＹＥＳ）。
【０１３８】
次に、キャラクタ表示制御部３６３は、まだ積算値Ｓｘの積算が開始されておらず、従って各領域に対応する積算値Ｓｘ（１）〜Ｓｘ（５）は判定基準値Ｓｊ以下であるから、例えば図１４（図３０）に示すゲーム画面Ｇ１１のように、ゲーム画面Ｇ１１の各領域Ａ１，Ａ２，Ａ３，Ａ４，Ａ５に、それぞれキャラクタ画像Ｃを表示する（ステップＳ２２）。
【０１３９】
次に、清掃効果評価部３６２によって、ブラッシング位置判定部３６１により判定された、下の右側奥歯、下の左側奥歯、上の右側奥歯、上の左側奥歯、及び上下の前歯の５つのブラッシング位置毎に、加速度情報に基づき１回のブラッシングの移動距離が算出される。そして、清掃効果評価部３６２によって、このようにして得られたブラッシングの移動距離が、ブラッシング位置判定部３６１により判定されたブラッシング位置毎に積算される（ステップＳ２３）。
【０１４０】
ここで、例えば、下の右側奥歯に対応する積算値Ｓｘを積算値Ｓｘ（１）、下の左側奥歯に対応する積算値Ｓｘを積算値Ｓｘ（２）、上の右側奥歯に対応する積算値Ｓｘを積算値Ｓｘ（３）、上の左側奥歯に対応する積算値Ｓｘを積算値Ｓｘ（４）、上下の前歯に対応する積算値Ｓｘを積算値Ｓｘ（５）とする。
【０１４１】
一方、ゲーム画面Ｇ１１の各領域は、領域Ａ１が下の右側奥歯に対応し、領域Ａ２が下の左側奥歯に対応し、領域Ａ３が上の右側奥歯に対応し、領域Ａ４が上の左側奥歯に対応し、領域Ａ５が上下の前歯に対応している。従って、同じブラッシング位置に対応する領域Ａと積算値Ｓｘとが対応し、領域Ａ１，Ａ２，Ａ３，Ａ４，Ａ５が積算値Ｓｘ（１），Ｓｘ（２），Ｓｘ（３），Ｓｘ（４），Ｓｘ（５）にそれぞれ対応している。
【０１４２】
図１５（図３１）は、ユーザが歯磨き中の表示画面Ｇ１２の一例を示す画面図である。図１５（図３１）の態様例として、例えばユーザが上の奥歯を歯ブラシ４でブラッシングすると、キャラクタ表示制御部３６３（表示制御部）によって、ブラッシング位置判定部３６１により判定されたブラッシング位置に対応する領域Ａ３の画像が図１５（図３１）に示すように拡大表示される。さらに、キャラクタ表示制御部３６３（表示制御部）によって、領域Ａ３のキャラクタ画像Ｃと重ね合わせ、あるいはその近傍に、例えば泡のような泡画像Ｃａが表示される。泡画像Ｃａのように、ユーザに対して清掃や、きれいになるイメージを連想させるような画像を表示することにより、ユーザに対して、自分のブラッシング動作と表示画面Ｇ１２とが連動している感覚を呼び起こさせることができる。その結果、ユーザを、泡画像Ｃａにより自分の歯がきれいになっているような心地よい気持ちにさせることができる。
【０１４３】
ブラッシング位置判定部３６１により判定されたブラッシング位置に対応する領域の画像がキャラクタ表示制御部３６３によって拡大表示されるので、ユーザが歯磨き位置を変更することにより表示画面が変化する。また、例えば加速度情報に基づき歯ブラシ４によるブラッシング動作が検出された場合、ブラッシング位置判定部３６１により判定されたブラッシング位置に対応する領域にキャラクタ画像Ｃが存在している場合のみ、キャラクタ表示制御部３６３（表示制御部）によって、泡画像Ｃａがキャラクタ画像Ｃと重ね合わせ若しくは近傍に表示される。さらに、ユーザが歯磨位置を変えた場合、ブラッシング位置判定部３６１により判定されたブラッシング位置に対応する領域の画面がキャラクタ表示制御部３６３（表示制御部）によって拡大表示される。このようにユーザの歯磨き行動に応じて表示画面を変化させることにより、歯磨きの興趣性を高めることができる。
【０１４４】
また、図１５（図３１）の別の態様例として、例えば各ブラッシング位置（清掃部位）をどのような順番でブラッシングすべきかを示す清掃順序情報を、予め記憶部に記憶させておいてもよい。そして、例えば加速度情報に基づき歯ブラシ４によるブラッシング動作が検出された場合、キャラクタ表示制御部３６３（表示制御部）は、清掃順序情報で示される順番で、清掃すべきブラッシング位置に対応する領域の画像を順次拡大表示することにより、ユーザに対して、その拡大表示された領域に対応するブラッシング位置を磨くように誘導するようにしてもよい。
【０１４５】
このように、画像の拡大表示によりユーザのブラッシング位置が誘導され、正しくそのブラッシング位置でブラッシングされると、ブラッシング位置判定部３６１により判定されるブラッシング位置と、拡大表示された領域に対応するブラッシング位置とが一致することになる。そこで、キャラクタ表示制御部３６３（表示制御部）は、拡大表示された領域に対応するブラッシング位置とブラッシング位置判定部３６１により判定されたブラッシング位置とが一致し、かつブラッシング位置に対応する領域にキャラクタ画像Ｃが存在している場合のみ泡画像Ｃａがキャラクタ画像Ｃと重ね合わせ若しくは近傍に表示する。
【０１４６】
これにより、ユーザが泡画像Ｃａを表示させたいと思う場合、画像の拡大表示による誘導の通りのブラッシング位置で歯を磨く必要があるので、結果的に、清掃順序情報で示される順番で各ブラッシング位置の歯磨きを行うことになる。その結果、ユーザに対して好ましい歯ブラシ動作を身に付けさせることができる。
【０１４７】
なお、泡画像Ｃａは、必ずしもキャラクタ画像Ｃが存在している場合のみ表示される例に限らない。キャラクタ表示制御部３６３（表示制御部）は、キャラクタ画像Ｃの有無に関わらず、ブラッシング位置判定部３６１により判定されたブラッシング位置に対応する画像位置（領域）に表示されるようにしてもよい。この場合、ユーザは、自分がブラッシングしている位置を、泡画像Ｃａが表示されている位置によって知ることができる。従って、ユーザは、画面に表示された泡画像Ｃａが、キャラクタ画像Ｃの方へ移動するように、ブラッシング位置を変更することで、正しいブラッシング位置で歯磨きすることができるようになる。
【０１４８】
次に、キャラクタ表示制御部３６３によって、積算値Ｓｘ（１）〜Ｓｘ（５）がそれぞれ判定基準値Ｓｊと比較され、判定基準値Ｓｊを超えた積算値Ｓｘがあった場合、その積算値Ｓｘに対応する領域、すなわち積算値Ｓｘが判定基準値Ｓｊを超えた領域に表示されていたキャラクタ画像Ｃが消去される（ステップＳ２４）。
【０１４９】
図１６（図３２）は、積算値Ｓｘ（３）が判定基準値Ｓｊを超えた場合の表示画面Ｇ１３の一例を示す画面図である。図１６（図３２）に示すように、積算値Ｓｘ（３）が判定基準値Ｓｊを超えた場合、キャラクタ表示制御部３６３によって、領域Ａ３からキャラクタ画像Ｃが消去される。これにより、ユーザは、領域Ａ３に対応する上の右側奥歯が適切に歯磨きできたことが判る。また、ユーザに対してゲーム感覚で虫歯菌のキャラクタ画像Ｃをやっつけたような感覚を与えることができるので、歯磨きの興趣性を高めることができる。これにより、ユーザの興趣性を高める態様で、ユーザの歯磨き行動に関する情報を報知することができる。
【０１５０】
次に、ゲーム部３６によって、積算値Ｓｘ（１）〜Ｓｘ（５）がそれぞれ判定基準値Ｓｊと比較され、積算値Ｓｘ（１）〜Ｓｘ（５）のうちにまだ判定基準値Ｓｊを超えていない積算値Ｓｘがあった場合（ステップＳ２５でＮＯ）、再びステップＳ２３〜Ｓ２５が繰り返される。一方、積算値Ｓｘ（１）〜Ｓｘ（５）が全て判定基準値Ｓｊを超えた場合（ステップＳ２５でＹＥＳ）、ゲーム部３６によって、例えば図１７（図３３）に示すようなゲーム終了画面Ｇ１４が表示される（ステップＳ２６）。
【０１５１】
なお、ゲーム部３６は、ステップＳ２１でゲームが開始された後の経過時間ｔｐを計時し、経過時間ｔｐが適切な歯磨き時間として予め設定された判定時間ｔｊ（例えば３分）以上になったとき、ステップＳ２６へ移行する構成としてもよい。
【０１５２】
これにより、歯の磨きすぎを防止することができる。また、適切な歯磨き時間で歯磨きするように、ユーザを指導することができる。
【０１５３】
ゲーム終了画面Ｇ１４には、例えば「モンスターをやっつけた！」若しくは「モンスター退治の成功率はＸＸ％です」といった、ゲームの達成感を高めるようなメッセージが表示されることが好ましい。これにより、ゲームと一体となった歯磨きの達成感が高められ、再び歯磨きゲームをしたいという気持ちを起こさせることにより、歯磨きを習慣化に導くことが可能となる。
【０１５４】
次に、ゲーム部３６によって、例えば図１８（図３４）に示すような得点画面Ｇ１５が表示される（ステップＳ２７）。ゲーム部３６は、例えば積算値Ｓｘ（１）〜Ｓｘ（５）の値を積算値が大きいほど得点が高くなるように得点を算出したり、例えばゲーム部３６に磨き方評価部３５２を備えて磨き方評価部３５２によって歯磨きが良好と判断されていた時間が予め設定された時間に近いほど得点が高くなるように得点を算出したりすることができる。
【０１５５】
このように、歯磨きの得点を表示することにより、ユーザに対して得点を高めたいという気持ちを誘起させることができ、再び歯磨きゲームをしたいという気持ちを起こさせることにより、歯磨きを習慣化に導くことが可能となる。
【０１５６】
なお、ゲーム部３６は、得点やさらに詳細な評価結果等を、記憶部にロギングする構成としてもよい。また、ゲーム部３６は、一回のゲーム（歯磨き）毎、あるいはユーザが指定するなどした所定の期間内で平均するなどして、その結果を数字やランキング、あるいはその他の表現方法により、タッチパネルディスプレイ３２やスピーカ３３で報知するようにしてもよい。また、例えば図略の無線電話回線やインターネット等の通信ネットワークを介して無線端末装置３からアクセス可能なサーバ装置を備え、ゲーム部３６は、このサーバ装置に上述の得点やさらに詳細な評価結果、平均データ等を記憶させたりロギングしたりする構成としてもよい。
【０１５７】
また、複数のユーザの無線端末装置３からサーバ装置にこれらの得点等を送信し、サーバ装置で複数ユーザ間のランキングを算出したり、他のユーザと比較したりする構成としてもよい。そして、サーバ装置は、そのランキングや比較結果を各ユーザの無線端末装置３へ送信する構成としてもよい。これにより、歯磨きの興趣性を高めることができる。このような、評価結果のランキングやロギング等は、正しい歯磨き行動を身に付けたいユーザや、子供などに正しい歯磨き行動を体得させたいユーザにとって、特に利便性が高い。
【０１５８】
次に、図１０を参照して歯磨きタイマ部３７の各部について具体的に説明する。歯磨開始判定部３７１は、無線受信部３１で得られた加速度情報に基づいて、ユーザにより歯磨きが開始されたか否かを判定する。具体的には、歯磨開始判定部３７１は、例えば、加速度情報に基づいて、歯ブラシ４の長手方向に沿った加速度が、予め設定された開始判定値ＳＴを超えたとき、歯磨きが開始されたと判定する。
【０１５９】
計時部３７２は、歯磨開始判定部３７１によって歯磨きが開始されたと判定されたとき、好適な歯磨き時間として例えば３分に予め設定された判定時間ｔｊが経過するまでの経過時間ｔｐの計時を開始する。
【０１６０】
報知部３７３は、歯磨開始判定部３７１によって歯磨きが開始されたと判定されたときから、経過時間ｔｐが判定時間ｔｊに達するまでの間に、スピーカ３３やタッチパネルディスプレイ３２によって、所定の情報を音声及び／又は文字画像で報知させる。文字画像は、静止画であってもよく、文字が流れるような動画であってもよい。また、報知部３７３は、タッチパネルディスプレイ３２に、所定の情報に関する静止画や動画の画像を表示させてもよい。
【０１６１】
図１９は、本発明の一実施形態に係る歯磨き補助プログラムに関する歯磨きタイマ部３７の動作の一例を示すフローチャートである。図２０は、無線端末装置３のタッチパネルディスプレイ３２に表示される表示画面の一例を示す画面図である。まず、例えば無線端末装置３のタッチパネルディスプレイ３２に表示された歯磨きタイマ部３７に対応するアイコンをユーザがタッチすると、図２０（ａ）に示す開始画面Ｇ３１が表示され、報知部３７３は、ユーザの歯磨き中に報知するための報知情報を取得する（ステップＳ３１）。
【０１６２】
具体的には、報知部３７３は、例えば図略の無線電話回線やインターネットを介して外部サーバに記憶された報知情報を取得する。例えば、報知部３７３は、Ｗｅｂ（World Wide Web）の機能を外部から利用するためのインターフェースであるＡＰＩ(Application Programming Interface)を用いて外部から報知情報を取得することができる。
【０１６３】
報知情報としては、例えば天気予報、ニュースや、雨傘指数、洗濯指数、日傘指数などの指数、占い、スケジュール、ゴミ収集日、及び交通機関運行情報等がある。
【０１６４】
次に、ユーザが例えば開始画面Ｇ３１のネクストボタンＧ３２をタッチすると、歯磨開始判定部３７１が、歯磨きが開始されたか否かを判定する（ステップＳ３２）。そして、歯磨開始判定部３７１によって歯磨きが開始されたと判定されると（ステップＳ３２でＹＥＳ）、計時部３７２によって、経過時間ｔｐの計時が開始される（ステップＳ３３）。
【０１６５】
次に、報知部３７３によって、例えば図２０（ｂ）、（ｃ）に示すように、報知情報が文字情報としてタッチパネルディスプレイ３２に表示される（ステップＳ３４）。また、報知部３７３によって、報知情報が音声でスピーカ３３から出力される（ステップＳ３５）。ステップＳ３１において、報知情報を音声で表したデータを取得してそのデータに基づき報知情報を音声で報知してもよく、文字列データとして取得された報知情報を音声に変換して読み上げることにより音声で報知してもよい。
【０１６６】
なお、例えば図２０（ｂ）、（ｃ）に示す表示画面に、経過時間ｔｐを、文字又はアナログ時計を模した画像などによって表示する構成としてもよい。
【０１６７】
報知部３７３は、ステップＳ３１で取得された報知情報を、判定時間ｔｊ内で報知可能なように、その音声出力の速度を適宜調節してスピーカ３３から出力させる。この場合、判定時間ｔｊに略等しく、例えば判定時間ｔｊの９０％以上から判定時間ｔｊまでの範囲内になるように、報知情報の音声出力がなされる時間が調節されることが好ましい。報知情報の音声出力がなされる時間が、判定時間ｔｊと略等しくされることにより、ユーザは、報知情報の音声出力がなされている間、歯磨きを継続することによって、適切な歯磨きを行うことができる。
【０１６８】
次に、計時部３７２によって、経過時間ｔｐと判定時間ｔｊとが比較され（ステップＳ３６）、経過時間ｔｐが判定時間ｔｊに満たなければ（ステップＳ３６でＮＯ）、計時部３７２は再びステップＳ３４〜Ｓ３６を繰り返し、経過時間ｔｐが判定時間ｔｊ以上になると（ステップＳ３６でＹＥＳ）、図略の終了画面を表示して処理を終了する。
【０１６９】
以上、ステップＳ３１〜Ｓ３６の処理により、ユーザが歯磨きを開始してから歯磨きに適切な判定時間ｔｊの間、報知情報が報知されるので、ユーザは報知情報が報知されている間歯磨きを行うことで、適切に歯磨きを行うことができる。また、歯磨き中、報知情報が報知されるので、ユーザは、歯磨き時間を有効に活用することができる。また、報知情報が音声で出力されるので、報知情報を聞きつつ鏡を見ながら歯磨きを行うことができる。
【０１７０】
また、加速度情報に基づいて歯磨開始判定部３７１によって歯磨きが開始されたと判定されてから経過時間ｔｐの計時が開始されるので、例えばユーザがスタートボタンを操作して計時を開始する場合よりも、経過時間ｔｐの計時精度が向上する。また、加速度情報に基づいて報知部３７３による報知情報の報知が開始されるので、ユーザの興趣性を高める態様で、報知情報の画像及び音のうち少なくとも一方が出力される。
【０１７１】
なお、報知部３７３は、ステップＳ３４及びＳ３５のうち、いずれか一方のみ実行する構成であってもよい。また、報知部３７３は、音声出力の速度を適宜調節して報知情報を判定時間ｔｊ内で報知可能なようにする例に限らない。例えば報知情報を要約したり、取捨選択したりして判定時間ｔｊ内で報知可能なようにしてもよい。
【０１７２】
また、歯磨きタイマ部３７は、歯磨開始判定部３７１を備えず、例えばステップＳ３２において、ユーザが例えばネクストボタンＧ３２（開始指示受付部）をタッチすることにより、ユーザが歯磨きを開始したものとしてステップＳ３３が実行されるようにしてもよい。
【０１７３】
また、例えば音楽演奏部３５が歯磨開始判定部３７１を備え、ステップＳ１によるモードの判定後、歯磨開始判定部３７１によって歯磨きが開始されたと判定されてから、ステップＳ２又はステップＳ１１が実行されるようにしてもよい。
【０１７４】
なお、歯ブラシ用アタッチメント２は、ブラシ部と把持部（ハンドル）等が一体に成型されている通常の手動の歯ブラシに対して着脱可能な構成を示した態様以外にも、ブラシ部を含む部材と把持部を含む部材が脱着可能に構成された手動の歯ブラシにおいて、把持部を含む部材が歯ブラシ用アタッチメント２として構成される態様であってもよい。また、歯ブラシ用アタッチメント２は、電動歯ブラシに対して着脱可能に構成されていてもよい。特に例えばブラシ部に微振動を生じさせるだけで清掃能力の低い電動歯ブラシの場合、電動歯ブラシを手で往復運動させてブラッシングする必要がある。このような手動のブラッシング動作を必要とする電動歯ブラシに歯ブラシ用アタッチメント２を取り付けることで、手動歯ブラシに歯ブラシ用アタッチメント２を取り付けた場合と同様、ユーザの歯磨き行動に関する情報を取得することができ、歯磨きの興趣性を高めたり、正しい歯磨き方法を指導したりすることができる。
【０１７５】
また、無線端末装置３（歯磨き補助装置）は、ゲーム部３６及び歯磨きタイマ部３７を備えていなくてもよい。音楽演奏部３５は、ソングモードとフリーモードとのうち、いずれか一方のみを実行する構成であってもよい。また、無線端末装置３は、音楽演奏部３５及び歯磨きタイマ部３７を備えていなくてもよく、音楽演奏部３５及びゲーム部３６を備えていなくてもよい。
【０１７６】
また、回路ブロック２０７（歯ブラシモジュール）は、電動歯ブラシと一体に構成され、あるいは電動歯ブラシに内蔵されていてもよい。電動歯ブラシは、手動のブラッシング動作を不要とするものであってもよく、手動のブラッシング動作を必要とするものであってもよい。
【０１７７】
また、無線端末装置３は、例えばカレンダーや風景写真等、種々の画像を記憶する画像記憶部を備え、制御部３４は、ユーザの歯磨き中に、タッチパネルディスプレイ３２にこれらの画像を表示させる構成としてもよい。
【０１７８】
また、無線端末装置３（制御部３４）は、無線受信部３１で得られた物理量から、歯ブラシ４のブラシ部分（毛束４２１）特にブラシの毛先部分が歯茎や歯牙表面へ接触する接触角度、歯ブラシ４を反復運動（ブラッシング）させる動作の変位の大きさ等、をユーザの歯磨き行動に関する情報として算出したり、これらの情報に基づき各清掃部位ごとにおける清掃行為の評価を実行したり、それらの情報や評価結果をタッチパネルディスプレイ３２やスピーカ３３によって報知したりする構成としてもよい。
【０１７９】
無線端末装置３（制御部３４）は、ユーザの歯磨き行動に関する情報を画像化し、歯ブラシ４の模式化された画像によって、その接触角度、ブラッシングの変位の大きさ等をタッチパネルディスプレイ３２に表示させる構成としてもよい。
【０１８０】
歯磨き補助システム１は、音楽出力部３５４やキャラクタ表示制御部３６３を含まない歯磨き評価システムとして構成されていてもよい。
【０１８１】
次に、磨き方評価部３５２による歯の磨き方の評価方法について、具体的に説明する。なお、磨き方評価部３５２は、音楽演奏部３５の一部として動作する例に限らず、磨き方評価部３５２が、音楽演奏部３５、ゲーム部３６、及び歯磨きタイマ部３７に含まれていてもよく、磨き方評価部３５２が、音楽演奏部３５、ゲーム部３６、及び歯磨きタイマ部３７とは別に、ユーザの歯磨き行動を評価してもよい。
【０１８２】
磨き方評価部３５２による歯の磨き方の評価方法として、例えば以下のような評価方法を用いることができる。
【０１８３】
まず、歯磨きの方法としては、歯ブラシ４の毛束４２１を、歯ぐきの側に４５度傾けて水平方向に往復させるバス法、毛束４２１を歯に垂直に当てて水平方向に往復させるスクラッビング法、毛束４２１の毛の脇腹部分を歯ぐきに当て、かみ合わせの面に向かって回転させるローリング法等、種々の歯磨き方法が知られている。中でも、バス法が基本的な歯磨き法とされている。
【０１８４】
バス法では、歯ブラシを小刻みに往復させてブラッシングを行う。このとき、ブラシの動きの幅、すなわち往復運動の片道の移動距離が、歯の幅一本分以下の小刻みな動きとなることが望ましく、ブラシの動きの幅が小さいほど歯磨きの質が高く歯磨きが上手であることを意味し、ブラシの動きの幅が大きいほど歯磨きの質が低く歯磨きが下手であることを意味すると考えられる。
【０１８５】
そこで、ユーザの歯の磨き方の巧拙を評価する一つの指標として、ブラシの動きの幅を用いることができる。
【０１８６】
また、歯科医師や、歯科衛生士等の歯磨きの専門家による歯磨き行動、すなわち理想的と考えられる歯磨き行動との比較に基づいて、ユーザの歯の磨き方を評価するようにしてもよい。具体的には、例えば予め、歯科医師や、歯科衛生士等の歯磨きの専門家による歯磨き行動について測定し、そのブラッシング動作をデータ化する。このようにして得られたデータに基づきユーザの歯磨き行動を判定するための判定基準テーブル（ＬＵＴ：ルックアップテーブル）を予め設定し、予め制御部３４の記憶部に記憶させておく。
【０１８７】
そして、判定基準テーブルに基づき、歯ブラシ用アタッチメント２によって得られたユーザの歯磨き行動を示すデータと専門家による歯磨き行動を示すデータとの差が、小さいほど歯磨きが上手であり、大きいほど歯磨きが下手であると判定するようにユーザの歯磨き行動を評価するためのクオリティ評価基準を定め、磨き方評価部３５２は、このクオリティ評価基準に基づきユーザの歯の磨き方を評価することが好ましい。
【０１８８】
具体的には、判定基準テーブルは、例えば、専門家が歯磨きを行うときのブラッシングの速度を示すブラッシングスピード情報と、専門家がその速度でブラッシングしたときの、そのブラッシングの所定時間（例えば１秒）内の往復回数であるブラッシング周波数を判定するための周波数判定値とを組み合わせて対応付けたルックアップテーブルとすることができる。
【０１８９】
周波数判定値とブラッシングスピード情報、及びその組み合わせは、例えば以下のようにして設定することができる。例えば上述の専門家による歯磨き行動における、歯ブラシの往復運動の繰り返し周波数と、その繰り返し周波数が得られたときのブラシの移動速度を示すブラッシングスピード情報との各組み合わせについて、例えばその各組み合わせにおける繰り返し周波数に対して所定の範囲、例えばプラスマイナス５％程度の範囲を示す上限値と下限値とを、各組み合わせに対する周波数判定値として設定することができる。判定基準テーブルは、このようにして得られた周波数判定値とブラッシングスピード情報とを組み合わせを対応付けたルックアップテーブルとすることができる。ブラシの移動速度は加速度と相関関係があるので、ブラッシングスピード情報として速度の代わりに加速度を用いてもよい。
【０１９０】
歯磨きの専門家による歯磨き行動は、ブラシの動きの幅が小さいと考えられるので、上述の判定基準テーブルに基づく評価方法によれば、結果的に、ブラッシング時のブラシの動きの幅が、小さいほど歯磨きが上手であり、大きいほど歯磨きが下手であると判定することになると考えられる。
【０１９１】
図２１、図２２は、図１０に示す磨き方評価部３５２によって、判定基準テーブルに基づく評価方法を行う場合の動作の一例を示すフローチャートである。まず、磨き方評価部３５２は、歯ブラシ用アタッチメント２によって検出され、送信され、無線受信部３１で得られた加速度情報を取得する（ステップＳ４１）。加速度情報を検出するセンサ部２１は三軸加速度センサとされており、互いに直交するＸ、Ｙ、Ｚの三方向の加速度をそれぞれ検出する。例えば、Ｙ方向はハンドル部４１の軸方向とされ、Ｘ方向は毛束４２１の延びる方向とされ、Ｚ方向はＸ及びＹ方向に対して直交する方向とされている。これにより、Ｘ、Ｙ、Ｚの各方向の加速度を示す加速度情報が取得される。
【０１９２】
次に、磨き方評価部３５２は、このようにして得られた加速度情報を、例えば制御部３４の記憶部に時系列に沿って累積的に記憶させる（ステップＳ４２）。すなわち、ユーザが歯磨きを行うと、その歯磨き中に歯ブラシ用アタッチメント２によって検出、送信され、無線受信部３１で受信された加速度情報が累積的に記憶部に記憶される。
【０１９３】
次に、磨き方評価部３５２は、予め設定された設定時間内の加速度、すなわち予め設定された設定時間内に検出されたＸ，Ｙ，Ｚ方向の加速度をそれぞれ平均し、Ｘ、Ｙ、Ｚの三次元のベクトルで表される平均加速度を算出する（ステップＳ４３）。地球の重力は、センサ部２１によって常時加速度として検出される。従って、時系列に累積記憶された加速度を平均すると、常時検出されている重力成分の加速度が大きく現れる。その結果、平均加速度は略重力加速度を示すこととなる。
【０１９４】
このようにして得られた平均加速度は、重力方向を示す情報として用いられ、例えば上述した歯ブラシ４の姿勢を検出するために用いられる。
【０１９５】
次に、磨き方評価部３５２は、ステップＳ４１で得られた加速度情報、すなわち現時点でのリアルタイムの加速度情報と、ステップＳ４３で得られた平均加速度との差分を抽出し（ステップＳ４４）、差分加速度を取得する（ステップＳ４５）。上述したとおり、平均加速度は、略重力加速度に等しいと考えられるから、差分加速度は、ブラッシングにより歯ブラシ４に加わる加速度を示すこととなる。なお、バス法やスクラッビング法では、歯ブラシをそのハンドルの軸方向に沿う方向に動かすのが基本となる。そこで、バス法やスクラッビング法を想定した磨き方評価を行う場合、上述の加速度情報と平均加速度との差分から、さらにハンドルの軸方向に沿うＹ方向成分の加速度を抽出して差分加速度とすることが好ましい。これにより、歯磨き行動に伴い歯ブラシ４に生じる加速度の検出精度が向上する。
【０１９６】
磨き方評価部３５２は、このようにして得られた差分加速度を、例えば制御部３４の記憶部に時系列に沿って累積的に記憶させる（ステップＳ４６）。すなわち、ユーザが歯磨きを行うと、その歯磨き中の歯ブラシ４の動きを示す差分加速度が、時系列に沿って累積的に記憶部に記憶される。これにより、歯磨き中の所定の期間内の歯ブラシ４の動き、すなわち歯磨き行動を示す差分加速度が、記憶部に記憶される。
【０１９７】
次に、累積記憶された差分加速度に含まれる周波数成分、すなわちブラッシングの往復運動の頻度を示すブラッシング周波数が、例えば高速フーリエ変換（ＦＦＴ：Fast Fourier Transform）によって解析され（ステップＳ５１）、ブラッシング周波数と差分加速度とからブラシの動きの幅が算出される（ステップＳ５２）。具体的には、ブラッシング周波数の逆数はブラッシング周期となり、ブラッシング周期の１／２はブラッシングの往復運動の片道の時間を示している。従ってブラッシング周期の１／２と差分加速度とを乗算すれば、ブラッシングの移動速度が得られる。さらにこの移動速度とブラッシング周期の１／２の時間とを乗算することによって、ブラッシングにおけるブラシの動きの幅、すなわち歯ブラシの往復運動における一往復での片道の移動距離が算出される。
【０１９８】
このようにして得られたブラシの動きの幅は、ブラッシングを評価する指標となり、ブラッシングの評価結果の一つとして例えば音楽出力部３５４によって音楽の出力態様を変化させるための評価結果として用いられたり、タッチパネルディスプレイ３２にその評価結果が表示されたりする。
【０１９９】
なお、ブラッシング周波数の算出には、種々の解析手法を用いることができ、高速フーリエ変換を用いる例に限らない。また、このようにして得られたブラッシング周波数を、音楽演奏部３５による音楽演奏のテンポに反映させてもよい。これにより、ユーザはリズムに乗って歯磨きすることが容易になる。
【０２００】
次に、磨き方評価部３５２は、ステップＳ５１で得られたブラッシング周波数、すなわち現時点での最新のブラッシング周波数を、例えば制御部３４の記憶部に時系列に沿って累積的に記憶させる（ステップＳ５３）。すなわち、ユーザが歯磨きを行うと、その歯磨き中のブラッシング周波数、すなわち歯ブラシ４の往復運動の周期が、時系列に沿って累積的に記憶部に記憶される。
【０２０１】
次に、磨き方評価部３５２は、累積的に記憶されたブラッシング周波数のうち最大の周波数をブラッシングサイクルＢＣとして取得する（ステップＳ５４）。ブラッシングサイクルＢＣは、ユーザの歯磨き行動における往復運動の繰り返しの速さを表す指標であり、必ずしも最大周波数をブラッシングサイクルＢＣとする必要はなく、例えば累積的に記憶されたブラッシング周波数の平均値であってもよい。
【０２０２】
しかしながら、ユーザのブラッシング行動において、素早くブラシを往復運動させる動作は意識的に行わなければ難しい。そのため、その往復運動の繰り返しの速さであるブラッシング周波数の最大値は、適切なブラッシング方法の知識がないなどして歯磨きが下手な人と、適切なブラッシング方法の知識を有し、素早くブラシを往復運動させようとする歯磨きが上手な人とで差が出やすい。従って、最大周波数は、ユーザの歯磨き行動を評価するための指標であるブラッシングサイクルＢＣとして適している。
【０２０３】
次に、磨き方評価部３５２は、ステップＳ４６で記憶された差分加速度の累積データから最大の差分加速度を検索し（ステップＳ５５）、検索された最大差分加速度をブラッシングスピード情報ＢＳとして取得する（ステップＳ５６）。
【０２０４】
ブラッシングスピード情報ＢＳは、ユーザの歯磨き行動におけるブラシの移動速度を表す指標であり、必ずしも最大の差分加速度をブラッシングスピード情報ＢＳとする必要はなく、例えば累積的に記憶された差分加速度の平均値であってもよい。
【０２０５】
しかしながら、ユーザのブラッシング行動において、素早くブラシを往復運動させる動作は意識的に行わなければ難しい。そのため、その往復運動におけるブラシの移動速度を間接的に表す差分加速度の最大値は、適切なブラッシング方法の知識がないなどして歯磨きが下手な人と、適切なブラッシング方法の知識を有し、素早くブラシを往復運動させようとする歯磨きが上手な人とで差が出やすい。従って、差分加速度の最大値は、ユーザの歯磨き行動を評価するための指標であるブラッシングスピード情報ＢＳとして適している。
【０２０６】
次に、磨き方評価部３５２は、記憶部に記憶されている判定基準テーブルを参照する。上述したように、判定基準テーブルは、上限値と下限値とで所定の周波数範囲を示す周波数判定値と、その周波数判定値に対応するブラッシングスピード情報とを対応付ける。磨き方評価部３５２は、判定基準テーブルに基づき、ブラッシングサイクルＢＣをその範囲内に含む周波数判定値を検索し、検索された周波数判定値と対応付けられたブラッシングスピード情報、すなわちブラッシングサイクルＢＣに該当する周波数判定値と対応付けられたブラッシングスピード情報をベストブラッシングスピード情報として取得する（ステップＳ５７）。
【０２０７】
次に、磨き方評価部３５２は、ステップＳ５７で得られたベストブラッシングスピード情報と、ユーザのブラッシングスピード情報ＢＳとに基づき、クオリティ評価基準に従って、ユーザの歯磨きの巧拙を、ブラッシングクォリティとして点数化する（ステップＳ５８）。これにより、磨き方評価部３５２は、歯ブラシの往復運動の周期と、歯ブラシの往復運動における移動速度とに基づいて歯磨き行動の巧拙を評価する。
【０２０８】
具体的には、クオリティ評価基準は、例えばベストブラッシングスピード情報で示される加速度と、ブラッシングスピード情報ＢＳにより示される加速度との差が、基準値Ａ以下（例えば０）であれば１００点、基準値Ａを超え基準値Ｂ以下であれば８０点、基準値Ｂを超え基準値Ｃ以下であれば６０点、基準値Ｃを超えれば４０点（Ａ＜Ｂ＜Ｃ）、というように、その差が大きくなるほど点数が小さくなるように定められている。
【０２０９】
あるいは、クオリティ評価基準は、例えばベストブラッシングスピード情報で示される加速度と、ブラッシングスピード情報ＢＳにより示される加速度との差が、基準値Ａ以下（例えば０）であれば「ＢＥＳＴ」、基準値Ａを超え基準値Ｂ以下であれば「ＧＯＯＤ」、基準値Ｂを超えれば「ＢＡＤ」というように、その差が大きくなるほど評価が低くなるように定められていてもよい。
【０２１０】
このようにして得られた評価結果、すなわちブラッシングクォリティは、ブラッシングを評価する指標となり、ブラッシングの評価結果の一つとして例えば音楽出力部３５４によって音楽の出力態様を変化させるための評価結果として用いられたり、タッチパネルディスプレイ３２にその評価結果が表示されたりする。
【０２１１】
なお、ブラッシングを評価する指標としては、ステップＳ５２で算出されたブラシの動きの幅を用いてもよい。図２６は、ブラシの動きの幅に基づく評価結果をタッチパネルディスプレイ３２に表示する報知画面Ｇ４の一例を示す画面図である。
【０２１２】
磨き方評価部３５２は、ブラシの動きの幅を、所定のブラッシング幅評価基準に従い評価する。ブラッシング幅評価基準は、例えばブラシの動きの幅を点数化するための基準、さらにその点数を評価する基準などを含むことができる。
【０２１３】
例えば、磨き方評価部３５２は、ブラッシング幅評価基準に従って、平均的な大人の歯の幅との対比に基づき例えば１０点刻みで点数化する。ブラッシング幅評価基準は、例えば、ブラシの動きの幅が、歯の幅一本分以下の場合１００点、歯の幅一本分を超え二本分以下の場合９０点、歯の幅二本分を超え三本分以下の場合６０〜８０点、歯の幅三本分を超え四本分以下の場合４０〜６０点というものである。
【０２１４】
さらに磨き方評価部３５２は、この点数を、ブラッシング幅評価基準に従って例えば「ＢＥＳＴ」、「ＧＯＯＤ」、「ＢＡＤ」の三ランクに評価する。ブラッシング幅評価基準は、例えば「ＢＥＳＴ」と判定するための点数を８０〜１００点、「ＧＯＯＤ」と判定するための点数を６０〜７０点、「ＢＡＤ」と判定するための点数を０〜５０点とすることができる。
【０２１５】
図２６に示す評価バーＧ４１は、ブラシの動きの幅を視覚的に表した矢印の画像と、「ＢＥＳＴ」、「ＧＯＯＤ」、「ＢＡＤ」の評価結果を示す表示とから構成されている。磨き方評価部３５２は、点数の判定結果に応じた評価バーＧ４１をタッチパネルディスプレイ３２に表示させる。「ＢＥＳＴ」の評価バーは矢印が短くされており、歯ブラシを小刻みに動かして歯磨きするイメージが表現されている。そして、「ＧＯＯＤ」、「ＢＡＤ」と評価が下がるに従って、評価バーの矢印が長くされ、歯ブラシを動かす幅が大きいイメージが表現されている。これにより、評価バーＧ４１によれば、歯ブラシを動かす幅の大小を示す図と、歯磨きの評価結果とが対になって表示されるので、ユーザは、自分の歯磨き行動の評価結果を知ると共に、歯ブラシを動かす幅を小さくした方がよいことをユーザに知らせることができる。また、評価結果表示画像Ｇ４２として、その「ＢＥＳＴ」、「ＧＯＯＤ」、「ＢＡＤ」の評価結果と、点数とが直接的に表示され、ユーザに対して歯磨きの評価結果がわかり易く報知される。
【０２１６】
音楽演奏部３５は、ユーザの歯磨き中にタッチパネルディスプレイ３２に歯磨きの評価結果を表示させる構成としてもよい。図２７は、ユーザの歯磨き中に、音楽演奏部３５によってタッチパネルディスプレイ３２に表示される表示画面の一例である。図２７に示す表示画面Ｇ５には、図２６に示す評価バーＧ４１と略同様の評価バーＧ５１と、評価点数Ｇ５２とが表示されている。これにより、ユーザは、音楽演奏を楽しみながら、歯磨きの善し悪しの評価結果を知ることができる。
【０２１７】
ゲーム部３６は、ゲーム中、すなわち歯磨き中に、タッチパネルディスプレイ３２に歯磨きの評価結果を表示させる構成としてもよい。図２８は、ユーザの歯磨き中に、ゲーム部３６によってタッチパネルディスプレイ３２に表示される表示画面の一例である。図２８に示すゲーム画面Ｇ１６には、図２６に示す評価バーＧ４１と略同様の評価バーＧ１７が表示されている。これにより、ユーザは、ゲーム感覚で歯磨きをしながら歯磨きの善し悪しの評価結果を知ることができる。
【０２１８】
歯磨きタイマ部３７は、歯磨き中に、例えば図２０に示すタッチパネルディスプレイ３２の表示画面に、例えば図２６に示す評価バーＧ４１と略同様の評価バーを表示するなどして歯磨きの評価結果を表示させる構成としてもよい。これにより、ユーザは、歯磨きをしながら報知情報を得つつ、歯磨きの善し悪しの評価結果を知ることができる。
【０２１９】
また、音楽演奏部３５、ゲーム部３６、及び歯磨きタイマ部３７は、ブラッシングクォリティの評価の点数、ブラシの動きの幅に基づく評価の点数等の評価結果に応じて、タッチパネルディスプレイ３２に表示させる表示画面を変化させたり、スピーカ３３から出力される音を変化させたりしてもよい。
【０２２０】
音楽演奏部３５、ゲーム部３６、及び歯磨きタイマ部３７は、例えば８０点以上の高得点のときやブラシの動きの幅が歯の幅１本分以下のときなどに、スピーカ３３から歓声などの良好な印象を与える音を出力したり、賞賛を表すような画像をタッチパネルディスプレイ３２に表示したりしてもよい。また、音楽演奏部３５、ゲーム部３６、及び歯磨きタイマ部３７は、例えば５０点以下の低得点のときやブラシの動きの幅が歯の幅４本分以上のときなどに、スピーカ３３からブーイングなどのよくない印象を与える音を出力したり、よくない印象の画像をタッチパネルディスプレイ３２に表示したりしてもよい。
【０２２１】
また、低得点の場合、「磨きすぎ」、「強すぎ」といった警告をタッチパネルディスプレイ３２に表示又はスピーカ３３から出力して報知してもよい。これにより、適切なブラッシング方法を習得できるように教育することが可能となる。
【０２２２】
また、磨き方評価の厳しさを、ゲームの対象年齢や歯磨きの上達レベルなどに応じて変化させてもよく、ユーザが設定できるようにしてもよい。具体的には、ブラッシング幅評価基準、及びクオリティ評価基準の少なくとも一方を変更することによって、磨き方評価の厳しさを変更することができる。具体的には、クオリティ評価基準の基準値Ａ，Ｂ，Ｃを、小さくすることで磨き方評価が厳しく、すなわち低い評価になり易くなり、ブラッシング幅評価基準における歯の本数に対応する点数を小さくすることで磨き方評価が厳しく、すなわち低い評価になり易くなり、ブラッシング幅評価基準における評価結果（「ＢＥＳＴ」、「ＧＯＯＤ」、「ＢＡＤ」）を判定するための点数を大きくすることで磨き方評価が厳しく、すなわち低い評価になり易くなる。逆に、クオリティ評価基準の基準値Ａ，Ｂ，Ｃを、大きくすることで磨き方評価が易しく、すなわち高い評価になり易くなり、ブラッシング幅評価基準における歯の本数に対応する点数を大きくすることで磨き方評価が易しく、すなわち高い評価になり易くなり、ブラッシング幅評価基準における評価結果（「ＢＥＳＴ」、「ＧＯＯＤ」、「ＢＡＤ」）を判定するための点数を小さくすることで磨き方評価が易しく、すなわち高い評価になり易くなる。
【０２２３】
例えばゲーム部３６が、子供向け、大人向け等、対象年齢の異なる複数種類のゲームを実行可能とし、磨き方評価部３５２が、その対象年齢が低いほど、高い評価になり易く、対象年齢が高いほど低い評価になり易くなるようにブラッシング幅評価基準、及びクオリティ評価基準の少なくとも一方を変更してもよい。これにより、ユーザの年齢に応じた適切な評価が可能となる。
【０２２４】
また、ユーザの歯磨きを上達させるには、ユーザの上達に応じて評価を厳しくすることで、さらなる上達を促すようにしてもよい。具体的には、評価結果を記憶部に記憶しておき、磨き方評価部３５２は、前回の評価結果が高いほど、評価を厳しく、低い評価になり易くなるようにブラッシング幅評価基準、及びクオリティ評価基準の少なくとも一方を変更してもよい。
【０２２５】
また、上級のブラッシング方法としては、バス法と呼ばれる、ブラシの動きの幅が０．５ｍｍ〜１ｍｍ程度の小刻みで、歯と歯茎の境目に４５度程度の角度でブラシを当てて歯磨きする方法が知られている。このようなさらに上級のブラッシング方法の習得を促すために、ブラッシング位置判定部３５１，３６１等による歯磨き位置の判定精度を向上させ、例えば歯磨き中の位置を歯１本単位で特定可能とし、ユーザの歯磨きが上述のような上級のブラッシング方法に近づくほど、評価が高くなるように、ブラッシング幅評価基準やクオリティ評価基準を設定してもよい。
【０２２６】
また、ユーザによる歯磨きの実行時間を累積的に計時してもよい。ユーザは、歯磨きの累積時間が長くなるほど歯磨きが上達したと考えられるから、制御部３４が、その累積時間をタッチパネルディスプレイ３２に表示することで、ブラッシングの上達度を可視化することが可能となる。
【０２２７】
また、歯ブラシ４は、使用されて劣化するほどブラシの清掃性が低下し、ユーザが同じように歯磨きしていても、実際の歯磨き効果は低下する。そこで、無線端末装置３は、歯ブラシ４が交換されたことを例えばユーザ操作により受け付けたり、歯ブラシ用アタッチメント２に歯ブラシ４の脱着を検出するスイッチやセンサを設けたりすることにより、歯ブラシ４が交換されたことを検知可能とし、歯ブラシ４の交換時からの累積使用時間を計時する計時部を備えてもよい。そして、磨き方評価部３５２は、その累積時間が長くなるほど、評価が低くなるように、評価結果を補正したり、ブラッシング幅評価基準やクオリティ評価基準を変更したりしてもよい。
【０２２８】
図２３、図２４は、図８、図９に示す歯ブラシ用アタッチメント２の別の一例を示す説明図である。図２３における（ａ）は、歯ブラシ用アタッチメント２ｂに歯ブラシ４を取り付けた状態を示している。図２３における（ｂ）は、筐体２０１ｂを上面から見た上面図である。図２４は、図２３に示す歯ブラシ４を下方に押し込んだ状態を示す説明図である。
【０２２９】
歯ブラシ用アタッチメント２ｂは、図９に示す歯ブラシ用アタッチメント２とは、連結機構２０２ｂを構成するエラストマが、光を半透過する材料で構成されている点、筐体２０１ｂの構成、及び回路ブロック２０７ｂの構成が異なる。連結機構２０２ｂは、連結フレーム２０５ｂ（保持部）と把持部２０８ｂとを備えている。把持部２０８ｂの内側は、筐体２０１ｂを受け入れる凹部とされている。連結フレーム２０５ｂは、ハンドル部４１の後端側を受け入れ可能な筒状に形成されている。連結フレーム２０５ｂには、ハンドル部４１の後端部側を受け入れるように、深さ方向がハンドル部４１の軸方向に沿う挿入穴２０２ｃが形成されている。連結フレーム２０５ｂは、受け入れられたハンドル部４１をエラストマの弾性力によって、弾性的に保持する。連結フレーム２０５ｂは、ハンドル部４１の後端部を後述する電源スイッチＳＷへ向けて歯ブラシ４を保持する。挿入穴２０２ｃの底は、底部２０５ｃによって閉塞されている。
【０２３０】
挿入穴２０２ｃの底が、底部２０５ｃによって閉塞されていることによって、歯磨きをした際の水が、歯ブラシ４を伝って回路ブロック２０７ｂの収納された筐体２０１ｂにかかることが防止されている。
【０２３１】
その他の点では図９に示す歯ブラシ用アタッチメント２と同様に構成されているため、その説明を省略し、歯ブラシ用アタッチメント２ｂの特徴的な構成について説明する。
【０２３２】
筐体２０１ｂは、筐体２０１と同様、例えば略円筒形とされ、その両端が底板２０１ｃと上蓋２０１ｄとで塞がれた構造とされている。すなわち底板２０１ｃ（底面）と上蓋２０１ｄ（上面）とが側面でつながれている。
【０２３３】
また、上蓋２０１ｄは、光を透過する樹脂材料などにより構成されており、上蓋２０１ｄの略中央に開口部Ｈが形成され、上蓋２０１ｄの周縁付近にレンズ２０１ｅが形成されている。上蓋２０１ｄの上面には、開口部Ｈを覆うように、弾性を有するエラストマシート２０１ｆが貼付されている。エラストマシート２０１ｆは、レンズ２０１ｅを避けるように配置されている。
【０２３４】
筐体２０１ｂの外壁に形成された開口部Ｈの下方には、本体から上方に突出した突起部を備えた押しボタン式の電源スイッチＳＷが配設されている。電源スイッチＳＷは、その突起部が押し込まれることによってオンするようにされている。電源スイッチＳＷの突起部は、開口部Ｈの上方へ突出し、開口部Ｈを覆うエラストマシート２０１ｆを上方へ押し上げる。これにより、エラストマシート２０１ｆは、開口部Ｈで上方へ盛り上がるようにされている。
【０２３５】
レンズ２０１ｅの下方には、ＬＥＤ２０４ｂが配設されている。ＬＥＤ２０４ｂが発光すると、その光がレンズ２０１ｅによって筐体２０１ｂの外部へ放射され、半透過材料で構成された連結機構２０２ｂを透過して、連結機構２０２ｂの外部からＬＥＤ２０４ｂの発光が認識できるようにされている。
【０２３６】
図２３、図２４では、回路ブロック２０７ｂにおける電源スイッチＳＷとＬＥＤ２０４ｂ以外の記載を省略している。
【０２３７】
連結フレーム２０５ｂは、把持部２０８ｂによって受け入れられた筐体２０１ｂの上面側で、底面に対してハンドル部４１の軸方向が略垂直になるようにハンドル部４１を保持する。これにより、歯ブラシ用アタッチメント２ｂは、歯ブラシ４が取り付けられた状態で、底板２０１ｃを下にして、例えば机などの平坦な場所に自立可能にされている。このように自立した状態で、ユーザが歯ブラシ４を下方に押し込むと、図２４に示すように、歯ブラシ４の後端部で底部２０５ｃが押されて電源スイッチＳＷの突起部が押下され、電源スイッチＳＷがオンするようにされている。
【０２３８】
図２５は、図２３に示す歯ブラシ用アタッチメント２ｂの電気的構成の一例を示すブロック図である。歯ブラシ用アタッチメント２ｂは、センサ部２１、無線送信部２２、電池１２、電源スイッチＳＷ（指示受付部）、及びＬＥＤ（Light Emitting Diode）２０４ｂを備えている。電源制御部１１は、例えばトランジスタ等の半導体スイッチ回路やタイマ回路等を用いて構成され、電源スイッチＳＷがオンすると、電池１２から動作用電源電圧をセンサ部２１と、無線送信部２２と、ＬＥＤ２０４ｂとへ供給する。これにより、センサ部２１と、無線送信部２２は動作を開始し、すなわち回路ブロック２０７が動作を開始し、ＬＥＤ２０４ｂが発光する。
【０２３９】
電源スイッチＳＷは、押圧力を回路ブロック２０７の動作を開始させるための開始指示として受け付ける指示受付部の一例に相当している。また、電源制御部１１は、例えばタイマ回路を備え、電源供給の開始から予め設定された電源オン時間が経過すると、センサ部２１と無線送信部２２とＬＥＤ２０４ｂとへの電源供給を停止する。電源オン時間は、通常、歯磨きを終えることができる程度の時間、例えば１０分程度の時間とされている。
【０２４０】
なお、電源制御部１１は、例えばセンサ部２１の出力信号を監視し、電源供給の開始後に予め設定された時間の間、センサ部２１からの出力信号が停止した状態が継続した場合、あるいはセンサ部２１によって重力加速度以外の加速度が検出されない状態が継続した場合、センサ部２１と無線送信部２２とＬＥＤ２０４ｂとへの電源供給を停止するようにしてもよい。
【０２４１】
これにより、ユーザは、歯ブラシ用アタッチメント２ｂに取り付けられて自立した歯ブラシ４を、下向きに押し下げるという、簡単な操作で歯ブラシ用アタッチメント２ｂの動作を開始させることができる。また、電源オン時間が経過した後、予め設定された時間の間、センサ部２１からの出力信号が停止した状態が継続した場合、あるいはセンサ部２１によって重力加速度以外の加速度が検出されない状態が継続した場合にセンサ部２１と無線送信部２２とへの電源供給が停止されるので、消費電力を低減できる。
【符号の説明】
【０２４２】
１    歯磨き補助システム
２，２ｂ    歯ブラシ用アタッチメント
３    無線端末装置（歯磨き補助装置）
４    歯ブラシ
５    充電器
１１  電源制御部
１２  電池
２１  センサ部
２２  無線送信部
３１  無線受信部
３２  タッチパネルディスプレイ（表示部）
３３  スピーカ
３４  制御部
３５  音楽演奏部
３６  ゲーム部
３７  歯磨きタイマ部
４１  ハンドル部
４２  ヘッド部
２０１，２０１ｂ  筐体（筐体部）
２０１ｃ    底板
２０１ｄ    上蓋
２０１ｅ    レンズ
２０１ｆ    エラストマシート
２０２，２０２ｂ  連結機構
２０２ｃ    挿入穴
２０３      底面
２０５，２０５ｂ  連結フレーム
２０５ｃ    底部
２０６      弾性部材
２０７，２０７ｂ  回路ブロック（歯ブラシモジュール）
２０８，２０８ｂ  把持部
３５１      ブラッシング位置判定部
３５２      歯磨き方評価部（評価部）
３５３      音楽情報記憶部
３５４      音楽出力部（音出力部、出力部）
３６１      ブラッシング位置判定部
３６２      清掃効果評価部（評価部）
３６３      キャラクタ表示制御部（出力部）
３７１      歯磨開始判定部
３７２      計時部
３７３      報知部（出力部）
４１１      端部
４２１      毛束
Ａ１，Ａ２，Ａ３，Ａ４，Ａ５  領域
Ｂ１  ソングモードボタン
Ｂ２  フリーモードボタン
Ｂ３  保存ボタン
Ｂ４  シェアボタン
Ｃ    キャラクタ画像
Ｃａ  泡画像
ＣＡＭ      カメラ
ＳＷ  電源スイッチ
Ｇ１  選択画面
Ｇ１１      ゲーム画面
Ｇ１２，Ｇ１３    表示画面
Ｇ１４      ゲーム終了画面
Ｇ１５      得点画面
Ｇ２  歯磨き中画面
Ｇ２１      ユーザ画像
Ｇ２１      開始画面
Ｇ２２      ネクストボタン
Ｇ２２      ブラッシング位置表示画像
Ｇ３  終了画面
Ｓｊ  判定基準値
ＳＴ  開始判定値
Ｓｘ  積算値
ｔｊ  判定時間
ｔｐ  経過時間
【図１】
2019069252.tif 000003
【図２】
2019069252.tif 000004
【図３】
2019069252.tif 000005
【図４】
2019069252.tif 000006
【図５】
2019069252.tif 000007
【図６】
2019069252.tif 000008
【図７】
2019069252.tif 000009
【図８】
2019069252.tif 000010
【図９】
2019069252.tif 000011
【図１０】
2019069252.tif 000012
【図１１】
2019069252.tif 000013
【図１２】
2019069252.tif 000014
【図１３】
2019069252.tif 000015
【図１４】
2019069252.tif 000016
【図１５】
2019069252.tif 000017
【図１６】
2019069252.tif 000018
【図１７】
2019069252.tif 000019
【図１８】
2019069252.tif 000020
【図１９】
2019069252.tif 000021
【図２０】
2019069252.tif 000022
【図２１】
2019069252.tif 000023
【図２２】
2019069252.tif 000024
【図２３】
2019069252.tif 000025
【図２４】
2019069252.tif 000026
【図２５】
2019069252.tif 000027
【図２６】
2019069252.tif 000028
【図２７】
2019069252.tif 000029
【図２８】
2019069252.tif 000030
【図２９】
2019069252.tif 000031
【図３０】
2019069252.tif 000032
【図３１】
2019069252.tif 000033
【図３２】
2019069252.tif 000034
【図３３】
2019069252.tif 000035
【図３４】
2019069252.tif 000036
【手続補正書】
【提出日】平成31年2月27日(2019.2.27)
【手続補正２】
【補正対象書類名】特許請求の範囲
【補正対象項目名】全文
【補正方法】変更
【補正の内容】
【特許請求の範囲】
【請求項１】
略棒状のハンドル部の一端部に毛束が植設された歯ブラシに関する所定の物理量を検出するセンサ部と、前記センサ部により検出された物理量を示す無線信号を送信する無線送信部とを備える歯ブラシモジュールと、
押圧力を前記歯ブラシモジュールの動作を開始させるための開始指示として受け付ける指示受付部と、
前記ハンドル部の他端部側を受け入れ可能であって、前記受け入れられたハンドル部をエラストマの弾性力によって弾性的に保持する保持部とを備え、
前記保持部は、前記ハンドル部の他端部側を受け入れるように、深さ方向が前記ハンドル部の軸方向に沿う挿入穴を備え、
前記挿入穴の底には、その挿入穴を閉塞する底部が形成され、
前記指示受付部は、前記ハンドル部の前記他端部で前記底部が押された場合にその押圧力を前記開始指示として受け付ける歯ブラシ用アタッチメント。
【請求項２】
前記保持部は、前記ハンドル部の軸方向を略垂直に、前記一端部側を上にして自立可能に前記ハンドル部を保持する請求項１記載の歯ブラシ用アタッチメント。
【請求項３】
歯ブラシに関する加速度を検出するセンサ部と、前記センサ部により検出された加速度を示す無線信号を送信する無線送信部とを備える歯ブラシモジュールと、
前記無線信号を受信する無線端末装置とを含み、
前記無線端末装置は、
前記無線信号を受信して前記加速度を取得する無線受信部と、
前記加速度に基づいて、画像又は音を出力する出力部と、
前記加速度に基づいて、前記ユーザにより歯磨きが開始されたか否かを判定する歯磨開始判定部と、
前記歯磨開始判定部によって前記歯磨きが開始されたと判定されたとき、好適な歯磨き時間として予め設定された判定時間が経過するまでの経過時間の計時を開始する計時部とを備え、
前記出力部は、前記歯磨開始判定部によって前記歯磨きが開始されたと判定されたときから、前記経過時間が前記判定時間に達するまでの間に、所定の情報を報知する報知部を含む歯磨き補助システム。
【請求項４】
前記報知部は、前記所定の情報を音声でスピーカから出力させると共に、前記所定の情報を前記判定時間内で報知可能なように、前記音声で出力させる速度を調節して前記スピーカから出力させる請求項３記載の歯磨き補助システム。
【請求項５】
歯ブラシに関する加速度を示す無線信号を受信して前記加速度を取得する無線受信部と、
前記加速度に基づいて、前記ユーザにより歯磨きが開始されたか否かを判定する歯磨開始判定部と、
前記歯磨開始判定部によって前記歯磨きが開始されたと判定されたとき、好適な歯磨き時間として予め設定された判定時間が経過するまでの経過時間の計時を開始する計時部と、
前記歯磨開始判定部によって前記歯磨きが開始されたと判定されたときから、前記経過時間が前記判定時間に達するまでの間に、所定の情報を報知する報知部とを備える歯磨き補助装置。
【請求項６】
歯ブラシに関する加速度を示す無線信号を受信して前記加速度を取得する無線受信手段、
前記加速度に基づいて、前記ユーザにより歯磨きが開始されたか否かを判定する歯磨開始判定手段、
前記歯磨開始判定手段によって前記歯磨きが開始されたと判定されたとき、好適な歯磨き時間として予め設定された判定時間が経過するまでの経過時間の計時を開始する計時手段、
前記歯磨開始判定手段によって前記歯磨きが開始されたと判定されたときから、前記経過時間が前記判定時間に達するまでの間に、所定の情報を報知する報知手段としてコンピュータを機能させる歯磨き補助プログラム。